(57)【要約】【課題】節電依頼に応じて好適な節電を行う。【解決手段】節電支援システムは、電気事業者から電力の供給を受ける需要家に節電の協力を依頼する節電依頼を通知する節電支援装置を備える節電支援システムであって、節電支援装置は、節電依頼を要求する節電依頼要求の入力に応じて、店舗で使用可能なクーポンに関する情報と、節電依頼とを含む通知情報を生成する生成部と、生成部が生成した通知情報を需要家に通知する通知部とを備える。【選択図】図２
2014229000.tif 000002
【特許請求の範囲】
【請求項１】
電気事業者から電力の供給を受ける需要家に節電の協力を依頼する節電依頼を通知する節電支援装置を備える節電支援システムであって、
前記節電支援装置は、
前記節電依頼を要求する節電依頼要求の入力に応じて、店舗で使用可能なクーポンに関する情報と、前記節電依頼とを含む通知情報を生成する生成部と、
前記生成部が生成した前記通知情報を前記需要家に通知する通知部と
を備えることを特徴とする節電支援システム。
【請求項２】
前記生成部は、
前記需要家と関連付けられた地域に対応付けられた前記店舗で使用可能なクーポンに関する情報と、前記節電依頼とを含む通知情報を生成する
ことを特徴とする請求項１に記載の節電支援システム。
【請求項３】
前記生成部は、
前記需要家を示す情報と地域を示す情報とを関連付けて記憶する需要家情報記憶部と、前記地域を示す情報と前記店舗を示す情報とを対応付けて記憶する店舗情報記憶部とから、前記通知情報を通知する前記需要家に関連付けられた当該地域を示す情報に対応する前記店舗を示す情報を取得し、取得した前記店舗を示す情報に対応する前記店舗で使用可能なクーポンに関する情報と、前記節電依頼とを含む通知情報を生成する
ことを特徴とする請求項２に記載の節電支援システム。
【請求項４】
前記生成部は、
前記節電依頼によって節電の協力を依頼する期間を含む前記通知情報を生成し、
前記クーポンは、前記節電の協力を依頼する期間を含む所定の期間において、前記店舗で使用可能である
ことを特徴とする請求項１から請求項３のいずれか一項に記載の節電支援システム。
【請求項５】
前記クーポンに関する情報には、前記クーポンの内容を示すクーポン情報が含まれ、
前記生成部は、
前記クーポン情報と前記節電依頼とを含む通知情報を生成する
ことを特徴とする請求項１から請求項４のいずれか一項に記載の節電支援システム。
【請求項６】
前記クーポンに関する情報には、前記店舗に対応付けられた、前記クーポンの内容を示すクーポン情報を閲覧可能なネットワーク上の場所を示すアドレス情報が含まれ、
前記生成部は、
前記アドレス情報と前記節電依頼とを含む通知情報を生成する
ことを特徴とする請求項１から請求項５のいずれか一項に記載の節電支援システム。
【請求項７】
前記クーポン情報を閲覧可能なウェブサイトをコンテンツとして提供するウェブサーバ装置を備える
ことを特徴とする請求項６に記載の節電支援システム。
【請求項８】
前記クーポン情報は、前記クーポン情報と前記店舗を示す情報とを対応付けて記憶するクーポン情報記憶部に、前記店舗を示す情報に対応付けられて予め定められており、
前記生成部は、
前記クーポン情報記憶部から、前記店舗を示す情報に対応する前記クーポン情報を取得し、取得した当該クーポン情報と前記節電依頼とを含む通知情報を生成する
ことを特徴とする請求項５から請求項７のいずれか一項に記載の節電支援システム。
【請求項９】
前記通知部は、
前記節電依頼要求に基づいて、前記店舗に前記節電依頼を通知し、
前記クーポン情報は、前記店舗に通知された前記節電依頼に応じて設定される
ことを特徴とする請求項５から請求項７のいずれか一項に記載の節電支援システム。
【請求項１０】
前記生成部は、
前記クーポン情報と前記店舗を示す情報とを対応付けて記憶するクーポン情報記憶部から、前記店舗を示す情報に対応する前記クーポン情報を取得し、取得した前記クーポン情報と前記節電依頼とを含む通知情報を生成する
ことを特徴とする請求項９に記載の節電支援システム。
【請求項１１】
前記店舗からの要求に応じて、前記クーポン情報記憶部に、前記クーポン情報と前記店舗を示す情報とを対応付けて記憶させる登録部を備える
ことを特徴とする請求項８又は請求項１０に記載の節電支援システム。
【請求項１２】
前記節電支援装置は、
前記節電依頼によって節電の協力を依頼する時間帯に消費が推定される前記需要家の消費電力量に応じて、複数の前記需要家のうちから、前記通知情報を通知する前記需要家を選択する需要家選択部を備え、
前記通知部は、
前記需要家選択部によって選択された前記需要家に対して前記通知情報を通知する
ことを特徴とする請求項１から請求項１１のいずれか一項に記載の節電支援システム。
【請求項１３】
前記節電支援装置は、
過去の前記節電依頼に対して、前記需要家が節電に協力した回数又は電力量に応じて、複数の前記需要家のうちから、前記通知情報を通知する前記需要家を選択する需要家選択部を備え、
前記通知部は、
前記需要家選択部によって選択された前記需要家に対して前記通知情報を通知する
ことを特徴とする請求項１から請求項１１のいずれか一項に記載の節電支援システム。
【請求項１４】
前記需要家は、前記節電依頼を通知する優先順位を示す複数のレベルに予め分類されており、
前記節電支援装置は、
予め定められた前記複数のレベルに基づいて、複数の前記需要家のうちから、前記通知情報を通知する前記需要家を選択する需要家選択部を備え、
前記通知部は、
前記需要家選択部によって選択された前記需要家に対して前記通知情報を通知する
ことを特徴とする請求項１から請求項１１のいずれか一項に記載の節電支援システム。
【請求項１５】
前記節電支援装置は、
前記節電依頼に対して、前記需要家が節電に協力した電力量又は回数に応じて、節電ポイントを付与する節電ポイント付与部を備える
ことを特徴とする請求項１から請求項１４のいずれか一項に記載の節電支援システム。
【請求項１６】
前記生成部は、
前記通知情報が通知された前記需要家を識別する識別情報を含む前記通知情報を生成し、
前記節電支援装置は、
前記店舗に備えられる店舗端末装置であって、前記識別情報を取得する識別情報取得部と、取得した当該識別情報を前記節電支援装置に送信する識別情報送信部とを有する店舗端末装置から送信された前記識別情報に基づいて、前記クーポンを使用した前記需要家を判定する判定部を備える
ことを特徴とする請求項１から請求項１５のいずれか一項に記載の節電支援システム。
【請求項１７】
前記節電支援装置は、
前記店舗において前記クーポンが使用されたことを示すクーポン使用情報を表示部に表示する店舗端末装置に表示されている前記クーポン使用情報を読み取る読取部と、前記読取部によって読み取られた当該クーポン使用情報を前記節電支援装置に送信する使用情報送信部とを有する携帯端末により読み取られて送信された前記クーポン使用情報に基づいて、前記クーポンを使用した前記需要家を判定する判定部を備える
ことを特徴とする請求項１から請求項１６のいずれか一項に記載の節電支援システム。
【請求項１８】
前記節電支援装置は、
前記需要家が前記クーポンを使用したことを示す履歴情報を記憶する履歴情報記憶部に、前記判定部が前記クーポンを使用したと判定した当該需要家を示す需要家情報と、当該クーポンが使用された当該店舗を示す店舗情報とを関連付けた情報を前記履歴情報として記憶させる履歴処理部
を備えることを特徴とする請求項１６又は請求項１７に記載の節電支援システム。
【請求項１９】
前記履歴情報記憶部に記憶されている前記履歴情報に基づいて、前記店舗に対する広告料を算出し、算出した前記広告料を前記店舗に請求する広告料請求部を備える
ことを特徴とする請求項１８に記載の節電支援システム。
【請求項２０】
前記節電支援装置は、
前記履歴情報記憶部に記憶されている前記履歴情報に基づいて、複数の前記店舗のうちから、前記クーポンに関する情報を前記通知情報により通知する前記店舗を選択する店舗選択部を備え、
前記生成部は、
前記店舗選択部によって選択された前記店舗に対応する前記クーポンに関する情報を含めた前記通知情報を生成する
ことを特徴とする請求項１８又は請求項１９に記載の節電支援システム。
【請求項２１】
前記店舗選択部は、
前記履歴情報に基づいて、前記需要家に対して前記店舗ごとの利用回数を算出し、前記店舗ごとの利用回数に応じて、複数の前記店舗のうちから、前記クーポンに関する情報を前記通知情報により通知する前記店舗を選択する
ことを特徴とする請求項２０に記載の節電支援システム。
【請求項２２】
前記節電支援装置は、
前記需要家に属する構成員の年齢又は性別に基づいて、複数の前記店舗のうちから、前記クーポンに関する情報を前記通知情報により通知する前記店舗を選択する店舗選択部を備え、
前記生成部は、
前記店舗選択部によって選択された前記店舗に対応する前記クーポンに関する情報を含めた前記通知情報を生成する
ことを特徴とする請求項１から請求項１９のいずれか一項に記載の節電支援システム。
【請求項２３】
前記店舗は、電力消費量を利用人数に依存させずに利用可能な店舗を含む
ことを特徴とする請求項１から請求項２２のいずれか一項に記載の節電支援システム。
【請求項２４】
前記電気事業者が有する電気事業者管理装置を備え、
前記電気事業者管理装置は、
前記需要家４が需要する需要電力量を推定する電力推定部と、
前記電力推定部によって推定された前記需要電力量が所定の閾値以上になる場合に、前記節電依頼要求を出力する節電依頼要求出力部と
を備える
ことを特徴とする請求項１から請求項２３のいずれか一項に記載の節電支援システム。
【請求項２５】
前記電気事業者が供給する電力を、予め契約した前記需要家に供給する電力管理事業者が有する電力管理装置を備え、
前記電力管理装置は、前記節電支援装置を備える
ことを特徴とする請求項２４に記載の節電支援システム。
【請求項２６】
前記電気事業者管理装置は、前記節電支援装置を備える
ことを特徴とする請求項２４に記載の節電支援システム。
【請求項２７】
前記クーポンにより提供されるサービスには、前記店舗における取引額から割引額を割り引く割引サービスが含まれる
ことを特徴とする請求項１から請求項２６のいずれか一項に記載の節電支援システム。
【請求項２８】
前記クーポンにより提供されるサービスには、前記店舗における取引に応じて所定のポイントを付与するポイントサービスが含まれる
ことを特徴とする請求項１から請求項２７のいずれか一項に記載の節電支援システム。
【請求項２９】
前記クーポンにより提供されるサービスには、前記店舗における取引に応じて金券を付与するサービス、又は、前記店舗における取引に応じて所定の金額を事後にキャッシュバックするサービスが含まれる
ことを特徴とする請求項１から請求項２８のいずれか一項に記載の節電支援システム。
【請求項３０】
前記クーポンに関する情報に基づいて、前記クーポンを使用する前記店舗の予約を受け付ける予約受付部と、
入力された予約確認要求に応じて、前記店舗の予約状態を出力する予約確認処理部と
を備えることを特徴とする請求項１から請求項２９のいずれか一項に記載の節電支援システム。
【請求項３１】
前記生成部は、
前記予約確認処理部から出力された前記予約状態に応じて、前記クーポンに関する情報を前記通知情報により通知する前記店舗を変更する
ことを特徴とする請求項３０に記載の節電支援システム。
【請求項３２】
電気事業者から電力の供給を受ける需要家に節電の協力を依頼する節電依頼を通知する節電支援装置であって、
前記節電依頼を要求する節電依頼要求の入力に応じて、店舗で使用可能なクーポンに関する情報と、前記節電依頼とを含む通知情報を生成する生成部と、
前記生成部が生成した前記通知情報を前記需要家に通知する通知部と
を備えることを特徴とする節電支援装置。
【請求項３３】
電気事業者から電力の供給を受ける需要家に節電の協力を依頼する節電依頼を通知する節電支援装置を備える節電支援システムの節電支援方法であって、
前記節電支援装置が、前記節電依頼を要求する節電依頼要求の入力に応じて、店舗で使用可能なクーポンに関する情報と、前記節電依頼とを含む通知情報を生成する生成ステップと、
前記節電支援装置が、前記生成ステップによって生成された前記通知情報を前記需要家に通知する通知ステップと
を含むことを特徴とする節電支援方法。
【発明の詳細な説明】
【技術分野】
【０００１】
本発明は、節電支援システム、節電支援装置、及び節電支援方法に関する。
【背景技術】
【０００２】
近年、電力の需要家に対して電力使用の抑制を依頼する節電依頼が行われることがある。このような節電依頼を需要家に通知する技術が知られている（例えば、特許文献１を参照）。
【先行技術文献】
【特許文献】
【０００３】
【特許文献１】特開２００２−３４５１７７号公報
【発明の概要】
【発明が解決しようとする課題】
【０００４】
ところで、上述のような技術では、節電依頼を需要家が受けた際に、例えば、一般家庭などの需要家が家庭内で節電することを行っている。しかしながら、さらなる好適な節電が求められている。
【０００５】
本発明は、上記問題を解決すべくなされたもので、その目的は、節電依頼に応じて、好適な節電を行うことができる節電支援装置、及び節電支援方法を提供することにある。
【課題を解決するための手段】
【０００６】
上記問題を解決するために、本発明の一態様は、電気事業者から電力の供給を受ける需要家に節電の協力を依頼する節電依頼を通知する節電支援装置を備える節電支援システムであって、前記節電支援装置は、前記節電依頼を要求する節電依頼要求の入力に応じて、店舗で使用可能なクーポンに関する情報と、前記節電依頼とを含む通知情報を生成する生成部と、前記生成部が生成した前記通知情報を前記需要家に通知する通知部とを備えることを特徴とする節電支援システムである。
【０００７】
また、本発明の一態様は、上記の節電支援システムにおいて、前記生成部は、前記需要家と関連付けられた地域に対応付けられた前記店舗で使用可能なクーポンに関する情報と、前記節電依頼とを含む通知情報を生成することを特徴とする。
【０００８】
また、本発明の一態様は、上記の節電支援システムにおいて、前記生成部は、前記需要家を示す情報と地域を示す情報とを関連付けて記憶する需要家情報記憶部と、前記地域を示す情報と前記店舗を示す情報とを対応付けて記憶する店舗情報記憶部とから、前記通知情報を通知する前記需要家に関連付けられた当該地域を示す情報に対応する前記店舗を示す情報を取得し、取得した前記店舗を示す情報に対応する前記店舗で使用可能なクーポンに関する情報と、前記節電依頼とを含む通知情報を生成することを特徴とする。
【０００９】
また、本発明の一態様は、上記の節電支援システムにおいて、前記生成部は、前記節電依頼によって節電の協力を依頼する期間を含む前記通知情報を生成し、前記クーポンは、前記節電の協力を依頼する期間を含む所定の期間において、前記店舗で使用可能であることを特徴とする。
【００１０】
また、本発明の一態様は、上記の節電支援システムにおいて、前記クーポンに関する情報には、前記クーポンの内容を示すクーポン情報が含まれ、前記生成部は、前記クーポン情報と前記節電依頼とを含む通知情報を生成することを特徴とする。
【００１１】
また、本発明の一態様は、上記の節電支援システムにおいて、前記クーポンに関する情報には、前記店舗に対応付けられた、前記クーポンの内容を示すクーポン情報を閲覧可能なネットワーク上の場所を示すアドレス情報が含まれ、前記生成部は、前記アドレス情報と前記節電依頼とを含む通知情報を生成することを特徴とする。
【００１２】
また、本発明の一態様は、上記の節電支援システムにおいて、前記クーポン情報を閲覧可能なウェブサイトをコンテンツとして提供するウェブサーバ装置を備えることを特徴とする。
【００１３】
また、本発明の一態様は、上記の節電支援システムにおいて、前記クーポン情報は、前記クーポン情報と前記店舗を示す情報とを対応付けて記憶するクーポン情報記憶部に、前記店舗を示す情報に対応付けられて予め定められており、前記生成部は、前記クーポン情報記憶部から、前記店舗を示す情報に対応する前記クーポン情報を取得し、取得した当該クーポン情報と前記節電依頼とを含む通知情報を生成することを特徴とする。
【００１４】
また、本発明の一態様は、上記の節電支援システムにおいて、前記通知部は、前記節電依頼要求に基づいて、前記店舗に前記節電依頼を通知し、前記クーポン情報は、前記店舗に通知された前記節電依頼に応じて設定されることを特徴とする。
【００１５】
また、本発明の一態様は、上記の節電支援システムにおいて、前記生成部は、前記クーポン情報と前記店舗を示す情報とを対応付けて記憶するクーポン情報記憶部から、前記店舗を示す情報に対応する前記クーポン情報を取得し、取得した前記クーポン情報と前記節電依頼とを含む通知情報を生成することを特徴とする。
【００１６】
また、本発明の一態様は、上記の節電支援システムにおいて、前記店舗からの要求に応じて、前記クーポン情報記憶部に、前記クーポン情報と前記店舗を示す情報とを対応付けて記憶させる登録部を備えることを特徴とする。
【００１７】
また、本発明の一態様は、上記の節電支援システムにおいて、前記節電支援装置は、前記節電依頼によって節電の協力を依頼する時間帯に消費が推定される前記需要家の消費電力量に応じて、複数の前記需要家のうちから、前記通知情報を通知する前記需要家を選択する需要家選択部を備え、前記通知部は、前記需要家選択部によって選択された前記需要家に対して前記通知情報を通知することを特徴とする。
【００１８】
また、本発明の一態様は、上記の節電支援システムにおいて、前記節電支援装置は、過去の前記節電依頼に対して、前記需要家が節電に協力した回数又は電力量に応じて、複数の前記需要家のうちから、前記通知情報を通知する前記需要家を選択する需要家選択部を備え、前記通知部は、前記需要家選択部によって選択された前記需要家に対して前記通知情報を通知することを特徴とする。
【００１９】
また、本発明の一態様は、上記の節電支援システムにおいて、前記需要家は、前記節電依頼を通知する優先順位を示す複数のレベルに予め分類されており、前記節電支援装置は、予め定められた前記複数のレベルに基づいて、複数の前記需要家のうちから、前記通知情報を通知する前記需要家を選択する需要家選択部を備え、前記通知部は、前記需要家選択部によって選択された前記需要家に対して前記通知情報を通知することを特徴とする。
【００２０】
また、本発明の一態様は、上記の節電支援システムにおいて、前記節電支援装置は、前記節電依頼に対して、前記需要家が節電に協力した電力量又は回数に応じて、節電ポイントを付与する節電ポイント付与部を備えることを特徴とする。
【００２１】
また、本発明の一態様は、上記の節電支援システムにおいて、前記生成部は、前記通知情報が通知された前記需要家を識別する識別情報を含む前記通知情報を生成し、前記節電支援装置は、前記店舗に備えられる店舗端末装置であって、前記識別情報を取得する識別情報取得部と、取得した当該識別情報を前記節電支援装置に送信する識別情報送信部とを有する店舗端末装置から送信された前記識別情報に基づいて、前記クーポンを使用した前記需要家を判定する判定部を備えることを特徴とする。
【００２２】
また、本発明の一態様は、上記の節電支援システムにおいて、前記節電支援装置は、前記店舗において前記クーポンが使用されたことを示すクーポン使用情報を表示部に表示する店舗端末装置に表示されている前記クーポン使用情報を読み取る読取部と、前記読取部によって読み取られた当該クーポン使用情報を前記節電支援装置に送信する使用情報送信部とを有する携帯端末により読み取られて送信された前記クーポン使用情報に基づいて、前記クーポンを使用した前記需要家を判定する判定部を備えることを特徴とする。
【００２３】
また、本発明の一態様は、上記の節電支援システムにおいて、前記節電支援装置は、前記需要家が前記クーポンを使用したことを示す履歴情報を記憶する履歴情報記憶部に、前記判定部が前記クーポンを使用したと判定した当該需要家を示す需要家情報と、当該クーポンが使用された当該店舗を示す店舗情報とを関連付けた情報を前記履歴情報として記憶させる履歴処理部を備えることを特徴とする。
【００２４】
また、本発明の一態様は、上記の節電支援システムにおいて、前記履歴情報記憶部に記憶されている前記履歴情報に基づいて、前記店舗に対する広告料を算出し、算出した前記広告料を前記店舗に請求する広告料請求部を備えることを特徴とする。
【００２５】
また、本発明の一態様は、上記の節電支援システムにおいて、前記節電支援装置は、前記履歴情報記憶部に記憶されている前記履歴情報に基づいて、複数の前記店舗のうちから、前記クーポンに関する情報を前記通知情報により通知する前記店舗を選択する店舗選択部を備え、前記生成部は、前記店舗選択部によって選択された前記店舗に対応する前記クーポンに関する情報を含めた前記通知情報を生成することを特徴とする。
【００２６】
また、本発明の一態様は、上記の節電支援システムにおいて、前記店舗選択部は、前記履歴情報に基づいて、前記需要家に対して前記店舗ごとの利用回数を算出し、前記店舗ごとの利用回数に応じて、複数の前記店舗のうちから、前記クーポンに関する情報を前記通知情報により通知する前記店舗を選択することを特徴とする。
【００２７】
また、本発明の一態様は、上記の節電支援システムにおいて、前記節電支援装置は、前記需要家に属する構成員の年齢又は性別に基づいて、複数の前記店舗のうちから、前記クーポンに関する情報を前記通知情報により通知する前記店舗を選択する店舗選択部を備え、前記生成部は、前記店舗選択部によって選択された前記店舗に対応する前記クーポンに関する情報を含めた前記通知情報を生成することを特徴とする。
【００２８】
また、本発明の一態様は、上記の節電支援システムにおいて、前記店舗は、電力消費量を利用人数に依存させずに利用可能な店舗を含むことを特徴とする。
【００２９】
また、本発明の一態様は、上記の節電支援システムにおいて、前記電気事業者が有する電気事業者管理装置を備え、前記電気事業者管理装置は、前記需要家が需要する需要電力量を推定する電力推定部と、前記電力推定部によって推定された前記需要電力量が所定の閾値以上になる場合に、前記節電依頼要求を出力する節電依頼要求出力部とを備えることを特徴とする。
【００３０】
また、本発明の一態様は、上記の節電支援システムにおいて、前記電気事業者が供給する電力を、予め契約した前記需要家に供給する電力管理事業者が有する電力管理装置を備え、前記電力管理装置は、前記節電支援装置を備えることを特徴とする。
【００３１】
また、本発明の一態様は、上記の節電支援システムにおいて、前記電気事業者管理装置は、前記節電支援装置を備えることを特徴とする。
【００３２】
また、本発明の一態様は、上記の節電支援システムにおいて、前記クーポンにより提供されるサービスには、前記店舗における取引額から割引額を割り引く割引サービスが含まれることを特徴とする。
【００３３】
また、本発明の一態様は、上記の節電支援システムにおいて、前記クーポンにより提供されるサービスには、前記店舗における取引に応じて金券を付与するサービス、又は、前記店舗における取引に応じて所定の金額を事後にキャッシュバックするサービスが含まれることを特徴とする。
【００３４】
また、本発明の一態様は、上記の節電支援システムにおいて、前記クーポンに関する情報に基づいて、前記クーポンを使用する前記店舗の予約を受け付ける予約受付部と、入力された予約確認要求に応じて、前記店舗の予約状態を出力する予約確認処理部とを備えることを特徴とする。
【００３５】
また、本発明の一態様は、上記の節電支援システムにおいて、前記生成部は、前記予約確認処理部から出力された前記予約状態に応じて、前記クーポンに関する情報を前記通知情報により通知する前記店舗を変更することを特徴とする。
【００３６】
また、本発明の一態様は、上記の節電支援システムにおいて、前記クーポンにより提供されるサービスには、前記店舗における取引に応じて所定のポイントを付与するポイントサービスが含まれることを特徴とする。
【００３７】
また、本発明の一態様は、電気事業者から電力の供給を受ける需要家に節電の協力を依頼する節電依頼を通知する節電支援装置であって、前記節電依頼を要求する節電依頼要求の入力に応じて、店舗で使用可能なクーポンに関する情報と、前記節電依頼とを含む通知情報を生成する生成部と、前記生成部が生成した前記通知情報を前記需要家に通知する通知部とを備えることを特徴とする節電支援装置である。
【００３８】
また、本発明の一態様は、電気事業者から電力の供給を受ける需要家に節電の協力を依頼する節電依頼を通知する節電支援装置を備える節電支援システムの節電支援方法であって、前記節電支援装置が、前記節電依頼を要求する節電依頼要求の入力に応じて、店舗で使用可能なクーポンに関する情報と、前記節電依頼とを含む通知情報を生成する生成ステップと、前記節電支援装置が、前記生成ステップによって生成された前記通知情報を前記需要家に通知する通知ステップとを含むことを特徴とする節電支援方法である。
【発明の効果】
【００３９】
本発明によれば、節電依頼に応じて、好適な節電を行うことができる。
【図面の簡単な説明】
【００４０】
【図１】本発明の第１の実施形態に係る節電支援システムの概要を説明する説明図である。
【図２】第１の実施形態における節電支援システムの一例を示すブロック図である。
【図３】本実施形態における需要家情報記憶部のデータ構成の一例を示す構成図である。
【図４】本実施形態における店舗情報記憶部のデータ構成の一例を示す構成図である。
【図５】第１の実施形態における節電支援システムの動作を説明するフローチャートである。
【図６】第１の実施形態における通知情報が表示された画面の一例を示す図である。
【図７】第１の実施形態における通知情報の生成処理及び通知処理の一例を示すフローチャートである。
【図８】第１の実施形態の第１変形例における通知情報の生成処理及び通知処理の一例を示すフローチャートである。
【図９】第１の実施形態の第２変形例における節電支援システムの動作を説明するフローチャートである。
【図１０】第２の実施形態における節電支援システムの一例を示すブロック図である。
【図１１】第２の実施形態における通知情報の生成処理及び通知処理の一例を示すフローチャートである。
【図１２】第３の実施形態における節電支援システムの一例を示すブロック図である。
【図１３】本実施形態における履歴情報記憶部のデータ構成の一例を示す構成図である。
【図１４】第３の実施形態における節電支援システムの動作を説明するフローチャートである。
【図１５】第４の実施形態における節電支援システムの一例を示すブロック図である。
【図１６】第４の実施形態における節電支援システムの動作を説明するフローチャートである。
【図１７】第５の実施形態における節電支援システムの一例を示すブロック図である。
【図１８】第６の実施形態に係る節電支援システムの概要を説明する説明図である。
【図１９】第６の実施形態における節電支援システムの一例を示すブロック図である。
【図２０】第６の実施形態における節電支援システムの動作を説明するフローチャートである。
【図２１】第６の実施形態における通知情報が表示された画面の一例を示す図である。
【図２２】第６の実施形態における通知情報の生成処理及び通知処理の一例を示すフローチャートである。
【図２３】第６の実施形態の第３変形例における節電支援システムの動作を説明するフローチャートである。
【図２４】第７の実施形態における節電支援システムの一例を示すブロック図である。
【図２５】第７の実施形態における節電支援システムの動作を説明するフローチャートである。
【図２６】第８の実施形態に係る節電支援システムの概要を説明する説明図である。
【発明を実施するための形態】
【００４１】
以下、本発明の一実施形態による節電支援システム及び節電支援装置について、図面を参照して説明する。
［第１の実施形態］
図１は、本発明の第１の実施形態に係る節電支援システム１の概要を説明する説明図である。
この図において、節電支援システム１は、電気事業者２（電力会社）と、アグリゲータ３（電力管理事業者）と、需要家４と、店舗５とを有している。
ここで、電気事業者２とは、需要家４に電力を供給する電力会社のことであり、電気事業者２には、例えば、一般電気事業者や特定規模電気事業者などが含まれる。
【００４２】
また、アグリゲータ３とは、電気事業者２が供給する電力を、予め契約した需要家４に供給する電力管理事業者のことである。アグリゲータ３は、電力の需要（デマンド、特にピーク需要時）に応答して各需要家４が電力消費を低減するデマンドレスポンス（DR：Demand Response）によって創出された「ネガワット」を統合して電気事業者２に供給する。
なお、「ネガワット」とは、「節電により得られた電力」のことを意味しており、節電された電力を発電所の発電電力に見立てたものである。
また、本実施形態において、アグリゲータ３は、節電支援装置１００を有している。
【００４３】
また、需要家４とは、電気事業者２から電力の供給を受けて使用している者又は電力の供給を受けている建物のことである。ここでは、需要家４は、例えば、一般家庭、世帯など、又はその建物、もしくはその住民である。
また、店舗５は、顧客に商品又はサービスを提供する、例えば、小売店、レストランなどの飲食店、映画館などの娯楽施設や大型のショッピングモールなどであり、需要家４の住居地とは異なる店舗である。店舗５は、電力消費量を利用人数に依存させずに利用可能な店舗（例えば、映画館、カラオケ店など）や時間消費型の店舗を含む。
【００４４】
本実施形態における節電支援システム１では、アグリゲータ３が、電気事業者２からの節電要請に応じて、需要家４に節電依頼とともに、店舗５で使用可能なお得なサービス情報（例えば、クーポン）を通知する。節電支援システム１は、需要家４が、店舗５に行ってクーポンを使用することで、節電を容易に達成しつつ、お得なサービスを得られるというものである。
【００４５】
節電支援システム１の概要を説明すると、図１に示すように、電気事業者２は、電気（電力）をアグリゲータ３に提供し（ステップＳ１）、アグリゲータ３は、電気事業者２から供給された電気（電力）を各需要家４に分配する（ステップＳ２）。
なお、店舗５は、クーポンに関する情報（例えば、クーポンの内容や、適用条件など）を予めアグリゲータ３の節電支援装置１００に登録しておく（ステップＳ３）。
また、電気事業者２は、電力需給が逼迫した場合、又は電力需給が逼迫することが予想される場合に、節電要請（節電依頼要求）をアグリゲータ３に出力する（ステップＳ４）。
【００４６】
次に、アグリゲータ３は、電気事業者２からの節電要請に応じて、節電の協力を依頼する通知情報（節電依頼＋クーポン情報）を需要家４に通知する（ステップＳ５）。
需要家４は、節電依頼に付加されているクーポン情報を利用する（クーポン利用）のために外出する（ステップＳ６）ことにより、店舗５からお得な体験が得られる（ステップＳ７）。とともに節電（ネガワットの創出）に協力する（ステップＳ５）。
【００４７】
また、アグリゲータ３（節電支援装置１００）は、節電（ネガワット）の対価として、需要家４に節電ポイントを付与する（ステップＳ９）。
また、アグリゲータ３は、節電協力（ネガワットの提供）する（ステップＳ１０）ことの対価として、協力金を電気事業者２から得る（ステップＳ１１）。
【００４８】
このように本実施形態における節電支援システム１は、アグリゲータ３（節電支援装置１００）が節電依頼にクーポン情報を付加した通知情報を需要家４に通知し、需要家４は、節電依頼に付加されているクーポンを店舗５で利用することで、節電を実現する。
これにより、需要家４は、クーポンを店舗５で利用するために外出することにより節電を無理せずに行うことができ、クーポンによるお得な体験をすることができる。また、店舗５は、クーポンによる集客により、売上の増加が見込める。さらに、需要家４は、節電に協力することにより、アグリゲータ３から節電ポイントを得ることができる。
【００４９】
次に、この本実施形態における節電支援システム１の詳細について説明する。
まず、図２〜図４を参照して、節電支援システム１の構成について説明する。
図２は、本実施形態における節電支援システム１の一例を示すブロック図である。
【００５０】
図２において、節電支援システム１は、電気事業者２が有する電力会社サーバ２００と、アグリゲータ３が有するアグリゲータサーバ３００と、各需要家４が有する需要家端末装置４００、携帯端末４５０、及びデマンドメータ４６０と、店舗５が有する店舗端末装置５００とを備えている。なお、電力会社サーバ２００、アグリゲータサーバ３００、需要家端末装置４００、携帯端末４５０、及び店舗端末装置５００は、通信ネットワーク６を介して互いに接続されている。
【００５１】
電力会社サーバ２００（電気事業者管理装置）は、電気事業者２が有するサーバ装置であり、例えば、需要家４が需要する需要電力量を推定し、推定した需要電力量に基づいて、節電依頼要求をアグリゲータ３のアグリゲータサーバ３００に出力する。
また、電力会社サーバ２００は、通信部２１０、記憶部２２０、及び制御部２３０を備えている。
【００５２】
通信部２１０は、通信ネットワーク６に接続され、通信ネットワーク６を介して情報の送受信を行う。通信部２１０は、例えば、節電依頼要求をアグリゲータサーバ３００に通信ネットワーク６を介して送信する。
【００５３】
記憶部２２０は、電力会社サーバ２００の各種処理に用いる情報を記憶する。
制御部２３０は、例えば、ＣＰＵ（Central Processing Unit）などを含むプロセッサであり、電力会社サーバ２００を統括的に制御する。また、制御部２３０は、電力推定部２３１と、節電要請出力部２３２とを備えている。
【００５４】
電力推定部２３１は、需要家４が需要する需要電力量を推定する。電力推定部２３１は、例えば、過去の需要履歴と、予想される天候、気温などの予想気象情報とに基づいて、所定の時間後の需要電力量を推定する。ここで、所定の時間後の需要電力量は、例えば、数分後の需要電力量、半日後の期間における最大の需要電力量（ピーク重要電量量）、翌日におけるピーク重要電量などである。
なお、電力推定部２３１は、例えば、需要家４が有するデマンドメータ４６０によって収集された各需要家４の需要電力量に基づいて、所定の時間後の需要電力量を推定してもよい。また、電力推定部２３１は、電気事業者２が電力を供給する所定の地域ごとに、需要電力量を推定してもよい。
【００５５】
節電要請出力部２３２（節電依頼要求出力部）は、電力推定部２３１によって推定された需要電力量が所定の閾値以上になる場合に、節電依頼要求をアグリゲータサーバ３００に出力する。ここで、所定の閾値は、例えば、電気事業者２が供給可能な電力量の最大値、電気事業者２が供給可能な電力量の所定の割合の値などである。すなわち、節電要請出力部２３２は、供給する電力が逼迫する場合、又は逼迫することが予想される場合に、通信部２１０及び通信ネットワーク６を介して、節電依頼要求をアグリゲータサーバ３００に出力する。また、節電要請出力部２３２は、例えば、節電依頼する所定の地域を示す地域情報と、節電依頼する日時とを含む節電依頼要求を出力する。
なお、節電要請出力部２３２は、電気事業者２が電力を供給する所定の地域ごとに、所定の地域に対応するアグリゲータサーバ３００に節電依頼要求を出力してもよい。
【００５６】
アグリゲータサーバ３００（電力管理装置）は、アグリゲータ３が有するサーバ装置であり、例えば、電力会社サーバ２００からの節電依頼要求の入力に応じて、節電依頼と、需要家４が店舗５で使用可能なクーポンに関する情報とを含む通知情報を需要家４に通知する。
また、アグリゲータサーバ３００は、通信部３１０、記憶部３２０、及び制御部３３０を備えている。なお、通信部３１０、記憶部３２０、及び制御部３３０は、本実施形態における節電支援装置１００に対応する。すなわち、本実施形態では、アグリゲータサーバ３００が、節電支援装置１００を備えている場合の一例について説明する。
【００５７】
通信部３１０は、通信ネットワーク６に接続され、通信ネットワーク６を介して情報の送受信を行う。通信部３１０は、例えば、電力会社サーバ２００からの節電依頼要求を受信するとともに、需要家端末装置４００に節電依頼の通知情報を送信する。
【００５８】
記憶部３２０は、アグリゲータサーバ３００の各種処理に用いる情報を記憶する。記憶部３２０は、需要家情報記憶部３２１と、店舗情報記憶部３２２とを備えている。
需要家情報記憶部３２１は、需要家４に関する情報を記憶するデータベースであり、需要家４を示す需要家情報（需要家ＩＤ）と地域を示す地域情報とを関連付けて記憶する。なお、需要家情報記憶部３２１の詳細については、図３を参照して後述する。
店舗情報記憶部３２２は、店舗５に関する情報を記憶するデータベースであり、地域を示す地域情報と店舗５を示す店舗情報（店舗ＩＤ）とを対応付けて記憶する。また、店舗情報記憶部３２２は、店舗情報と、クーポンに関する情報とを関連付けて記憶しているクーポン情報記憶部である。なお、店舗情報記憶部３２２の詳細については、図３を参照して後述する。
【００５９】
制御部３３０は、例えば、ＣＰＵなどを含むプロセッサであり、アグリゲータサーバ３００を統括的に制御する。また、制御部３３０は、通知生成部１０１、通知処理部１０２、クーポン登録部１０３、及び節電ポイント付与部１０４を備えている。
【００６０】
通知生成部１０１（生成部）は、節電依頼を要求する節電依頼要求の入力に応じて、店舗５で使用可能なクーポンに関する情報と、節電依頼とを含む通知情報を生成する。つまり、通知生成部１０１は、電力会社サーバ２００からの節電依頼要求に応じて、通知情報を生成する。
例えば、通知生成部１０１は、需要家４と関連付けられた地域に対応付けられた店舗５で使用可能なクーポンに関する情報と、節電依頼とを含む通知情報を生成する。なお、節電依頼要求には、アグリゲータ３が契約している需要家４のうち、節電依頼する地域が電力会社サーバ２００から予め指定されている場合と、地域が指定されていない場合とが考えられる。本実施形態では、まず、地域が指定されていない場合の一例について、説明する。すなわち、ここでは、通知生成部１０１は、アグリゲータ３が契約している需要家４全員に対して、上述した通知情報を生成する。
【００６１】
具体的に、通知生成部１０１は、需要家情報記憶部３２１と、店舗情報記憶部３２２とから、通知情報を通知する需要家４に関連付けられた当該地域情報に対応する店舗情報を取得する。さらに、通知生成部１０１は、取得した店舗情報に対応する店舗５で使用可能なクーポンに関する情報を店舗情報記憶部３２２から取得する。そして、通知生成部１０１は、取得した店舗情報に対応する店舗５で使用可能なクーポンに関する情報と、節電依頼とを含む通知情報を生成する。なお、通知生成部１０１は、通知情報として、需要家４宛ての電子メールを作成する。また、本実施形態では、一例として、通知生成部１０１は、使用可能なクーポンに関する情報として、クーポンの内容を示すクーポン情報を節電依頼に付加した通知情報を生成する。
【００６２】
また、節電依頼要求には、節電依頼する日時が含まれており、通知生成部１０１は、節電依頼によって節電の協力を依頼する期間を含む通知情報を生成する。この場合、通知情報のクーポンは、節電の協力を依頼する期間を含む所定の期間において、店舗５で使用可能であるものが選択される。
なお、通知生成部１０１は、アグリゲータ３が契約している複数の需要家４の全てについて、同様に、通知情報を生成する。
【００６３】
通知処理部１０２（通知部）は、通知生成部１０１が生成した通知情報を需要家４に通知する。具体的に、通知処理部１０２は、通知生成部１０１が生成した通知情報としての電子メールを、通信部３１０及び通信ネットワーク６を介して、需要家４に送信する。
また、通知処理部１０２は、店舗５に対して、節電依頼を通知してもよい。
【００６４】
クーポン登録部１０３は、店舗５の店舗端末装置５００からの要求に応じて、店舗情報記憶部３２２（クーポン情報記憶部）に、クーポンの内容を示すクーポン情報と店舗情報とを対応付けて記憶させる登録処理を実行する。なお、この登録処理には、新規にクーポン情報を登録する新規登録処理と、クーポン情報を変更する変更処理とが含まれる。
【００６５】
節電ポイント付与部１０４は、節電依頼に対して、需要家４が節電に協力した電力量又は回数に応じて、節電ポイントを付与する。ここで「節電ポイント」とは、節電に協力した対価として、アグリゲータ３が需要家４に付与するポイントであり、例えば、電気料金の支払に、現金の代わりに使用することができる。節電ポイント付与部１０４は、例えば、需要家４の過去の需要履歴と、節電依頼の期間の消費電力とに基づいて、需要家４が節電に協力したか否かを判定し、判定結果に基づいて、対応する需要家４に節電ポイントを付与する。例えば、節電ポイント付与部１０４は、節電依頼の期間における需要家４の消費電力量を需要家端末装置４００から取得し、取得したこの節電期間における消費電力量が、節電依頼の前日の同じ期間における需要家４の消費電力量よりも少ないか否かにより、需要家４が節電に協力したか否かを判定する。ここで、需要家４の消費電力量は、デマンドメータ４６０によって収集される。節電ポイント付与部１０４は、需要家４が節電に協力したと判定される場合に、電力量（協力電力量）又は回数（協力回数）に応じて、節電ポイントを付与する。すなわち、節電ポイント付与部１０４は、節電した電力量である協力電力量の所定の割合の節電ポイント（例えば、協力電力量の１％の節電ポイント）を付与してもよいし、所定の協力回数ごとに所定の節電ポイント（例えば、１０回毎に、１０ポイントの節電ポイント）を付与してもよい。
【００６６】
また、図２において、需要家４は、需要家端末装置４００、携帯端末４５０、及びデマンドメータ４６０を有している。
需要家端末装置４００は、需要家４に設備された負荷設備（例えば、空調設備、照明設備、動力負荷など）の消費電力量などの情報を計測するデマンドメータ４６０から出力されるデータを収集する機能を有する。また、需要家端末装置４００は、アグリゲータサーバ３００から通知された通知情報（電子メール）を受信して、表示部４４０に表示する機能を有する。
また、需要家端末装置４００は、通信部４１０、記憶部４２０、制御部４３０、及び表示部４４０を備えている。
【００６７】
通信部４１０は、通信ネットワーク６に接続され、通信ネットワーク６を介して情報の送受信を行う。通信部４１０は、例えば、アグリゲータサーバ３００からの通知情報を受信するとともに、デマンドメータ４６０によって収集した需要家４が消費する消費電力（需要電力）などの情報をアグリゲータサーバ３００に送信する。
【００６８】
記憶部４２０は、需要家端末装置４００の各種処理に用いる情報を記憶する。記憶部４２０は、例えば、デマンドメータ４６０によって収集した需要家４が消費する消費電力（需要電力）などの情報や、アグリゲータサーバ３００から受信した通知情報（電子メール）などを記憶する。
【００６９】
制御部４３０は、例えば、ＣＰＵなどを含むプロセッサであり、需要家端末装置４００を統括的に制御する。制御部４３０は、例えば、通知受信部４３１と、節電制御部４３２とを備えている。
【００７０】
通知受信部４３１は、アグリゲータサーバ３００からの通知情報を受信する処理を制御する。通知受信部４３１は、電子メールとして受信した通知情報を表示部４４０に表示させる。
【００７１】
節電制御部４３２は、需要家４が消費する消費電力（需要電力）などの情報の収集する処理や、また、節電制御部４３２は、予め定められた優先順位に基づいて、需要家４に設備された負荷設備（例えば、空調設備、照明設備、動力負荷など）の消費電力量を低減（節電）する制御を行ってもよい。
【００７２】
表示部４４０は、例えば、液晶ディスプレイなどの表示装置であり、需要家端末装置４００の各種操作画面や、各種情報を表示する。
携帯端末４５０は、需要家４が有する、例えば、スマートフォンなどの携帯電話、ＰＤＡ（Personal Digital Assistant）などの端末装置である。本実施形態では、携帯端末４５０は、例えば、需要家４が受信した通知情報に含まれるクーポンに関する情報を店舗５で提示するために使用される。
デマンドメータ４６０は、需要家４が消費する消費電力（需要電力）などの情報を計測する。例えば、デマンドメータ４６０は、予め決められた時間における最大需要電力を計測する。
【００７３】
店舗端末装置５００は、店舗５が有する端末装置であり、例えば、クーポンに関する情報をアグリゲータサーバ３００に登録する。店舗端末装置５００は、通信部５１０、記憶部５２０、制御部５３０、及び表示部５４０を備えている。
【００７４】
通信部５１０は、通信ネットワーク６に接続され、通信ネットワーク６を介して情報の送受信を行う。通信部５１０は、例えば、アグリゲータサーバ３００からの節電依頼を受信するとともに、クーポンに関する情報の登録依頼をアグリゲータサーバ３００に送信する。
【００７５】
記憶部５２０は、店舗端末装置５００の各種処理に用いる情報を記憶する。
表示部４４０は、例えば、液晶ディスプレイなどの表示装置であり、店舗端末装置５００の各種操作画面や、各種情報を表示する。
【００７６】
制御部５３０は、例えば、ＣＰＵなどを含むプロセッサであり、店舗端末装置５００を統括的に制御する。制御部５３０は、例えば、通知受信部５３１と、登録制御部５３２とを備えている。
通知受信部５３１は、例えば、アグリゲータサーバ３００からの節電依頼を受信する。
登録制御部５３２は、クーポンに関する情報の登録依頼をアグリゲータサーバ３００に登録するための処理を制御する。
【００７７】
次に、図３及び図４を参照して、需要家情報記憶部３２１及び店舗情報記憶部３２２のデータ構成について説明する。
図３は、本実施形態における需要家情報記憶部３２１のデータ構成の一例を示す構成図である。
この図において、需要家情報記憶部３２１は、「需要家ＩＤ」、「契約者名」、「メールアドレス」、「年齢」、「性別」、「地域情報」、「節電ポイント」、「地区情報」、及び「節電ポイント」を関連付けて記憶している。ここで、「需要家ＩＤ」は、需要家４を示す需要家情報（識別情報）である。また、「契約者名」は、需要家４における契約者の氏名を示し、「年齢」は、契約者の年齢を示す、「性別」は、契約者の性別を示している。また、「メールアドレス」は、需要家４への通知情報の通知先である電子メールのメールアドレス情報を示している。また、「地域情報」は、需要家４が所在する地域を示す地域情報（例えば、Ａ地区などの地区情報）を示し、「節電ポイント」は、需要家４が現在、獲得している節電ポイントの値を示している。
【００７８】
このように、需要家情報記憶部３２１は、需要家情報（「需要家ＩＤ」）と地域情報（「地区情報」）とを関連付けて記憶している。
例えば、図３に示す例では、「需要家ＩＤ」が“Ｕ００１”である需要家４では、「契約者名」が“○○  太郎”、「メールアドレス」が“ｘｘｘ＠ａｂｃ．ｃｏ．ｊｐ”、「年齢」が“３０”歳、「性別」が“男”（男性）、「地域情報」が“Ａ地区”であることを示している。また、この“○○  太郎”の「節電ポイント」が、“１００”であることを示している。
【００７９】
図４は、本実施形態における店舗情報記憶部３２２のデータ構成の一例を示す構成図である。
この図において店舗情報記憶部３２２は、「店舗ＩＤ」、「店舗名」、「メールアドレス」、「ＵＲＬ」、「地域情報」、「クーポン情報」、及び「クーポン利用条件」を関連付けて記憶している。ここで、「店舗ＩＤ」は、店舗５を示す店舗情報（識別情報）である。また、「店舗名」は、店舗５の名前を示し、「メールアドレス」は、店舗５への節電依頼の通知先である電子メールのメールアドレス情報を示している。また、「ＵＲＬ」は、店舗５のウェブサイトのＵＲＬ（Uniform Resource Locator）、すなわち、店舗５の各種情報を閲覧可能なウェブサイトのアドレス情報を示している。また、「地域情報」は、店舗５が所在する地域を示す地域情報（例えば、Ａ地区などの地区情報）を示している。また、「クーポン情報」は、クーポンの内容を示す情報を示し、「クーポン利用条件」は、クーポンを利用可能な時間などの条件に関する情報を示している。
【００８０】
このように、店舗情報記憶部３２２は、「地域情報」と、「店舗ＩＤ」とが対応付けて記憶している。また、店舗情報記憶部３２２は、「店舗ＩＤ」と、「クーポン情報」とを関連付けて記憶している。
【００８１】
例えば、図４に示す例では、「店舗ＩＤ」が“ＳＰ００１”である店舗５では、「店舗名」が“○○映画館”、「メールアドレス」が“ａｂｃ＠ｃｉｎｅｍａ＿ｘｘ．ｃｏ．ｊｐ”、「ＵＲＬ」が“ｈｔｔｐ:／／ｗｗｗ.ｃｉｎｅｍａ＿ｘｘ.ｃｏ.ｊｐ”、「地域情報」が“Ａ地区”であることを示している。また、この“○○映画館”の「クーポン情報」が、“３００円引き”、「クーポン利用条件」が、“１０：００〜１８：００”であることを示している。
【００８２】
なお、図４に示すようにクーポンにより提供されるサービスには、店舗５における取引額から割引額を割り引く割引サービス（例えば、“３００円引き”、“５％割引”など）が含まれる。また、図４に示すようにクーポンにより提供されるサービスには、店舗５における取引に応じて所定のポイント（店舗５で使用可能なポイント）を付与するポイントサービスが含まれる。また、クーポンにより提供されるサービスには、例えば、食事券やノベルティグッズ（販促品）のプレゼントなどを含めてもよい。
【００８３】
次に、本実施形態における節電支援システム１の動作について説明する。
図５は、本実施形態における節電支援システム１の動作を説明するフローチャートである。
この図において、まず、店舗５の店舗端末装置５００は、クーポン情報の登録要求をアグリゲータサーバ３００（節電支援装置１００）に送信する（ステップＳ１０１）。すなわち、店舗５は、店舗端末装置５００を使用して、アグリゲータサーバ３００に店舗情報とクーポン情報とを予め登録する要求をする。
【００８４】
次に、アグリゲータサーバ３００は、店舗端末装置５００から出力されたクーポン情報の登録要求に基づいて、クーポン情報を登録する（ステップＳ１０２）。すなわち、アグリゲータサーバ３００のクーポン登録部１０３は、店舗５の店舗端末装置５００からの要求に応じて、店舗情報記憶部３２２に、「クーポン情報」と「店舗情報」とを対応付けて記憶させる登録処理を実行する。このように、本実施形態では、クーポン情報は、予め定められている。
【００８５】
一方で、電力会社サーバ２００は、節電依頼要求の送信判定を行い（ステップＳ１０３）、節電依頼要求が必要になった場合に、節電依頼要求をアグリゲータサーバ３００に送信する（ステップＳ１０４）。具体的に、電力会社サーバ２００の電力推定部２３１が推定した需要電力量に基づいて、節電要請出力部２３２は、節電依頼要求の送信判定を行い、節電依頼要求が必要になった場合に、節電依頼要求をアグリゲータサーバ３００に送信する。ここで、節電要請出力部２３２は、電力推定部２３１によって推定された需要電力量が所定の閾値以上になる場合（すなわち、電力が逼迫することが予想される場合）に、節電依頼要求をアグリゲータサーバ３００に出力する。
【００８６】
次に、アグリゲータサーバ３００は、電力会社サーバ２００からの節電依頼要求に応じて、通知情報を生成する（ステップＳ１０５）。具体的に、アグリゲータサーバ３００の通知生成部１０１は、店舗５で使用可能なクーポンに関する情報と、節電依頼とを含む通知情報を生成する。ここで、店舗５で使用可能なクーポンに関する情報は、クーポンの内容を示すクーポン情報であり、通知生成部１０１は、例えば、図６に示すような、電子メールを、通知情報として生成する。
【００８７】
次に、アグリゲータサーバ３００は、通知情報を需要家４に通知する（ステップＳ１０６）。すなわち、アグリゲータサーバ３００の通知処理部１０２は、通知生成部１０１が生成した電子メール（通知情報）を需要家４宛に送信する。
【００８８】
次に、需要家端末装置４００は、アグリゲータサーバ３００が送信した通知情報を受信し、受信した通知情報を表示する（ステップＳ１０７）。すなわち、需要家端末装置４００は、通知受信部４３１が通信部４１０を介して電子メールを、通知情報として受信し、例えば、図６に示すように、表示部４４０に表示させる。
ここで、本実施形態における通知情報の表示例について図６を参照して説明する。
【００８９】
図６は、本実施形態における通知情報が表示された画面の一例を示す図である。
この図において、画面Ｇ１は、通知情報メッセージＭ１の表示画面を示し、通知情報メッセージＭ１は、節電依頼メッセージＤＲ１と、クーポン情報ＣＰを示している。
この図に示すように、本実施形態における通知情報メッセージＭ１は、節電依頼メッセージＤＲ１にクーピンの内容（ここでは、○○映画館の割引情報）を添付された電子メールである。
【００９０】
需要家４は、受信した通知情報を確認し、節電行動（例えば、需要家４に設備された負荷設備の消費電力量を低減（節電）する行動）を行うとともに、クーポンを利用する（ステップＳ１０８）。すなわち、需要家４は、店舗５に行き、クーポンを利用する。
この際、需要家４は、上述の通知情報（電子メール）を印刷して、クーポン情報を店舗５で提示してもよいし、携帯端末４５０に通知情報（電子メール）を表示させて店舗５で提示してもよい。
このように、クーポンを利用することにより、需要家４は、有益なサービスを受けられるとともに、店舗５に行くだけで節電に協力することができる。また、店舗５は、節電に協力しつつ、顧客（需要家４）を集客することができるとともに、売上の増加が期待できる。
【００９１】
また、需要家端末装置４００は、節電電力量をアグリゲータサーバ３００（節電支援装置１００）に通知する（ステップＳ１０９）。すなわち、需要家端末装置４００は、デマンドメータ４６０が収集した需要家４の消費電力量をアグリゲータサーバ３００に通知する。
【００９２】
次に、アグリゲータサーバ３００は、節電ポイントを付与する（ステップＳ１１０）。すなわち、アグリゲータサーバ３００の節電ポイント付与部１０４は、需要家４が節電に協力した対価として、節電ポイントを付与する。節電ポイント付与部１０４は、例えば、需要家端末装置４００から出力された需要家４の消費電力量が、前日の需要家４の消費電力量より少ない場合に、節電に協力した電力量（節電量）に応じて、節電ポイントを付与する。
【００９３】
次に、図７を参照して、本実施形態における通知情報の生成処理及び通知処理を説明する。ここでは、節電依頼要求に地域が指定されていない場合の一例であり、アグリゲータ３が契約している需要家４全員に対して、通知情報を生成する場合について説明する。
図７は、実施形態における通知情報の生成処理及び通知処理の一例を示すフローチャートである。
この図において、節電支援装置１００の通知生成部１０１は、まず、電力会社サーバ２００からの節電依頼要求があるか否かを判定する（ステップＳ２０１）。通知生成部１０１は、節電依頼要求があった場合（ステップＳ２０１：ＹＥＳ）に、処理をステップＳ２０２に進め、通知情報の生成処理を開始する。通知生成部１０１は、節電依頼要求がない場合（ステップＳ２０１：ＮＯ）に、ステップＳ２０１の処理を繰り返し、節電依頼要求の入力を待つ。
【００９４】
次に、ステップＳ２０２において、通知生成部１０１は、店舗情報を取得する。具体的に、通知生成部１０１は、需要家情報記憶部３２１から需要家４に関連付けられた地域情報を取得し、取得した地域情報に対応する店舗情報を店舗情報記憶部３２２から取得する。なお、この際に、通知生成部１０１は、地域情報とともに、「クーポン利用条件」が節電依頼の期間に合致する店舗情報を取得してもよい。
【００９５】
次に、通知生成部１０１は、クーポン情報を取得する（ステップＳ２０３）。すなわち、通知生成部１０１は、店舗情報記憶部３２２から店舗５に対応するクーポン情報を取得する。
【００９６】
次に、通知生成部１０１は、通知情報を生成する（ステップＳ２０４）。すなわち、通知生成部１０１は、節電依頼要求に基づいて節電依頼を生成し、生成した節電依頼に、取得した店舗５のクーポン情報を付加した電子メールを通知情報として生成する。
【００９７】
次に、通知処理部１０２は、通知情報を需要家４に通知する（ステップＳ２０５）。すなわち、通知処理部１０２は、通知生成部１０１が生成した上述の電子メールを、需要家４（例えば、需要家４全員）宛に、通信部３１０及び通信ネットワーク６を介して送信し、処理を終了する。
【００９８】
次に本実施形態の変形例（第１変形例）として、節電依頼要求に地域が指定されている場合における通知情報の生成処理の一例について説明する。
＜第１変形例＞
図８は、本実施形態の第１変形例における通知情報の生成処理及び通知処理の一例を示すフローチャートである。
【００９９】
この図において、通知生成部１０１は、ステップＳ３０１において、図７のステップＳ２０１の処理と同様の処理を実行する。通知生成部１０１は、節電依頼要求があった場合（ステップＳ３０１：ＹＥＳ）に、処理をステップＳ３０２に進め、通知情報の生成処理を開始する。通知生成部１０１は、節電依頼要求がない場合（ステップＳ３０１：ＮＯ）に、ステップＳ３０１の処理を繰り返し、節電依頼要求の入力を待つ。
【０１００】
次に、ステップＳ３０２において、通知生成部１０１は、要求地域に対応する需要家情報を取得する。具体的に、通知生成部１０１は、需要家情報記憶部３２１から節電依頼要求に指定されている地域（要求地域）を示す地域情報に関連付けられた需要家４を示す需要家情報を取得する。
【０１０１】
次に、通知生成部１０１は、要求地域の店舗情報を取得する（ステップＳ３０３）。すなわち、通知生成部１０１は、節電依頼要求に指定されている地域情報に対応する店舗情報を店舗情報記憶部３２２から取得する。
【０１０２】
次に、通知生成部１０１は、クーポン情報を取得する（ステップＳ３０４）。すなわち、通知生成部１０１は、店舗情報記憶部３２２から店舗５に対応するクーポン情報を取得する。
【０１０３】
次に、通知生成部１０１は、通知情報を生成する（ステップＳ３０５）。すなわち、通知生成部１０１は、節電依頼要求に基づいて節電依頼を生成し、生成した節電依頼に、取得した店舗５のクーポン情報を付加した電子メールを通知情報として生成する。
【０１０４】
次に、通知処理部１０２は、通知情報を需要家４に通知する（ステップＳ３０６）。すなわち、通知処理部１０２は、通知生成部１０１が生成した上述の電子メールを、要求地域の需要家４宛に、通信部３１０及び通信ネットワーク６を介して送信し、処理を終了する。
【０１０５】
次に本実施形態の変形例（第２変形例）として、店舗５が、アグリゲータ３から節電依頼を受信した後に、節電依頼の内容に基づいて、クーポン情報を設定する場合の一例について説明する。
＜第２変形例＞
図９は、本実施形態の第２変形例における節電支援システムの動作を説明するフローチャートである。
【０１０６】
この図において、まず、電力会社サーバ２００は、図５のステップＳ１０３と同様に、節電依頼要求の送信判定を行い（ステップＳ４０１）、節電依頼要求が必要になった場合に、節電依頼要求をアグリゲータサーバ３００に送信する（ステップＳ４０２）。
【０１０７】
次に、アグリゲータサーバ３００は、節電依頼を店舗５に通知する（ステップＳ４０３）。すなわち、アグリゲータサーバ３００の通知処理部１０２は、節電依頼要求に応じて、節電依頼を通知することを店舗５に通知する。
【０１０８】
次に、店舗端末装置５００は、クーポン情報の登録要求をアグリゲータサーバ３００に送信する（ステップＳ４０４）。店舗端末装置５００は、通知受信部５３１が、アグリゲータサーバ３００からの節電依頼を受信し、表示部３４０に表示させる。店舗５の従業員は、節電依頼の内容を確認し、クーポンの内容であるクーポン情報を決定し、店舗端末装置５００の登録制御部５３２は、アグリゲータサーバ３００にクーポン情報の登録要求を送信する。すなわち、店舗５の従業員は、節電依頼の期間や店舗５の状況、集客状態などを考慮して、クーポン情報を設定する。例えば、節電依頼の期間が、集客し難い時間帯であれば、クーポン情報は、割引率を高く設定されてもよい。また、例えば、節電依頼の期間に、最も販売したい商品があれば、クーポン情報は、最も販売したい商品を割り引くクーポン情報に設定されてもよい。
【０１０９】
次に、アグリゲータサーバ３００は、クーポン情報を登録する（ステップＳ４０５）。アグリゲータサーバ３００のクーポン登録部１０３は、店舗端末装置５００からのクーポン情報の登録要求に応じて、クーポン情報を登録する。すなわち、クーポン登録部１０３は、登録要求をした店舗５を示す店舗情報と対応付けて、要求されたクーポン情報を店舗情報記憶部３２２に記憶させる。
【０１１０】
続く、ステップＳ４０６〜ステップＳ４１１の処理は、図５に示すステップＳ１０５〜ステップＳ１１０の処理と同様であるので、ここではその説明を省略する。
このように、第２変形例では、アグリゲータサーバ３００の通知処理部１０２は、節電依頼要求に基づいて、店舗５に節電依頼を通知し、クーポン情報は、店舗５に通知された節電依頼に応じて設定される。
これにより、節電支援システム１は、節電依頼に応じた適切なクーポン情報が設定されるので、需要家４が店舗５に行く節電行動を起こし易くすることができる。そのため、節電支援システム１は、クーポン情報が予め定められている場合に比べて、需要家４を店舗５のクーポンを利用し易くすることができる。
【０１１１】
以上説明したように、本実施形態における節電支援システム１は、電気事業者２から電力の供給を受ける需要家４に節電の協力を依頼する節電依頼を通知する節電支援装置１００を備える。また、節電支援装置１００は、通知生成部１０１と、通知処理部１０２とを備えている。通知生成部１０１は、節電依頼を要求する節電依頼要求の入力に応じて、店舗５で使用可能なクーポンに関する情報と、節電依頼とを含む通知情報を生成する。通知処理部１０２は、通知生成部１０１が生成した通知情報を需要家４に通知する。
これにより、需要家４がクーポンを店舗５で使用するために外出することが需要家４の節電行動になるので、本実施形態における節電支援システム１は、例えば、冷房の設定温度を上げたり、照明を消灯したりするなどの無理な節電を需要家４に強いることなく、節電することができる。また、店舗５は、節電依頼と連携して使用可能なクーポンを発行することにより、集客、及び売上向上が期待できる。よって、本実施形態における節電支援システム１は、節電依頼に応じて、好適な節電を行うことができる。
また、本実施形態における節電支援システム１は、節電依頼に応じて需要家４が店舗５を利用することにより、店舗５において冷暖房を共有するので、節電タイミング、及び節電効果の分かる適切な冷暖房の共有を実現することができる。
【０１１２】
また、本実施形態では、通知生成部１０１は、需要家４と関連付けられた地域に対応付けられた店舗５で使用可能なクーポンに関する情報と、節電依頼とを含む通知情報を生成する。
これにより、本実施形態における節電支援システム１は、節電依頼に応じて、需要家４（家庭など）と店舗５との地域で連携して、節電を行うことができる。
【０１１３】
また、本実施形態では、通知生成部１０１は、需要家情報記憶部３２１と、店舗情報記憶部３２２とから、通知情報を通知する需要家４に関連付けられた当該地域を示す情報に対応する店舗５を示す情報を取得する。そして、通知生成部１０１は、取得した店舗５を示す情報に対応する店舗５で使用可能なクーポンに関する情報と、節電依頼とを含む通知情報を生成する。ここで、需要家情報記憶部３２１は、需要家４を示す情報（需要家情報）と地域を示す情報（地域情報）とを関連付けて記憶すると、地域を示す情報と店舗５を示す情報とを対応付けて記憶する。
これにより、本実施形態における節電支援システム１は、地域に関連した店舗５で使用可能なクーポンに関する情報を簡易な手段により適切に取得することができる。そのため、本実施形態における節電支援システム１は、節電依頼に応じて、需要家４（家庭など）と店舗５との地域で適切に連携させて、節電を行うことができる。
【０１１４】
また、本実施形態では、通知生成部１０１は、節電依頼によって節電の協力を依頼する期間を含む通知情報を生成し、クーポンは、節電の協力を依頼する期間を含む所定の期間において、店舗５で使用可能である。
これにより、節電依頼の協力を依頼する期間に合わせて、クーポンが使用可能であるので、本実施形態における節電支援システム１は、需要家４がクーポンを使用するために外出することで、確実に節電を行うことができる。
【０１１５】
また、本実施形態では、クーポンに関する情報には、クーポンの内容を示すクーポン情報が含まれ、通知生成部１０１は、クーポン情報と節電依頼とを含む通知情報を生成する。
これにより、クーポンの内容を示すクーポン情報が通知情報に直接含まれているので、本実施形態における節電支援システム１は、需要家４が通知情報を見ただけで、クーポンを使用した節電行動を取ることができる。そのため、本実施形態における節電支援システム１は、ウェブサイトなどに接続してクーポン情報を取得する場合に比べて、クーポンを使用した節電行動を取る可能性を高められる。
【０１１６】
また、本実施形態では、クーポン情報は、クーポン情報と店舗５を示す情報とを対応付けて記憶するクーポン情報記憶部（店舗情報記憶部３２２）に、店舗５を示す情報に対応付けられて予め定められている。通知生成部１０１は、クーポン情報記憶部から、店舗５を示す情報に対応するクーポン情報を取得し、取得した当該クーポン情報と節電依頼とを含む通知情報を生成する。
これにより、本実施形態における節電支援システム１は、店舗５によって予め定められたクーポン情報を含む通知情報を適切に生成することができる。クーポン情報が予め定められているので、アグリゲータサーバ３００（節電支援装置１００）は、節電依頼要求に応じて、店舗５に確認する必要がなく短時間に、通知情報を需要家４に通知することができる。
【０１１７】
なお、本実施形態では、第２変形例に示すように、通知処理部１０２は、節電依頼要求に基づいて、店舗５に節電依頼を通知し、クーポン情報は、店舗５に通知された節電依頼に応じて設定されてもよい。この場合も、通知生成部１０１は、クーポン情報と店舗５を示す情報とを対応付けて記憶する店舗情報記憶部３２２から、店舗５を示す情報に対応するクーポン情報を取得し、取得したクーポン情報と節電依頼とを含む通知情報を生成する。
これにより、本実施形態における節電支援システム１は、例えば、店舗５の顧客の込み具合、商品の在庫などの状況に応じて、適切なクーポンを設定することができる。そのため、本実施形態における節電支援システム１は、クーポン情報が予め定められている場合に比べて、需要家４を店舗５のクーポンを利用し易くすることができる。
【０１１８】
また、本実施形態における節電支援システム１は、店舗５からの要求に応じて、店舗情報記憶部３２２に、クーポン情報と店舗５を示す情報とを対応付けて記憶させるクーポン登録部１０３を備える。すなわち、節電支援装置１００は、店舗５からの要求に応じて、店舗情報記憶部３２２に、クーポン情報と店舗５を示す情報とを対応付けて記憶させるクーポン登録部１０３を備えている。
これにより、本実施形態における節電支援システム１は、店舗５からの要求に応じて、柔軟にクーポン情報を設定、及び変更することができる。
【０１１９】
また、本実施形態では、節電支援装置１００は、節電依頼に対して、需要家４が節電に協力した電力量又は回数に応じて、節電ポイントを付与する節電ポイント付与部１０４を備える。
これにより、需要家４は、節電により節電ポイントが付与され、さらに、店舗５でクーポンを使用することで、例えば、割り引きなどのお得な体験が得ることができる。そのため、本実施形態における節電支援システム１は、節電依頼に応じて、より節電行動を起こし易くすることが可能な好適な節電を行うことができる。
【０１２０】
また、本実施形態における節電支援システム１は、電気事業者２が有する電力会社サーバ２００（電気事業者管理装置）を備える。電力会社サーバ２００は、需要家４が需要する需要電力量を推定する電力推定部２３１と、電力推定部２３１によって推定された需要電力量が所定の閾値以上になる場合に、節電依頼要求を出力する節電要請出力部２３２（節電依頼要求出力部）とを備える。
これにより、電力会社サーバ２００からの適切な節電依頼要求に応じて、節電支援装置１００が節電依頼を需要家４に通知する。よって、本実施形態における節電支援システム１は、供給する電力の逼迫が推定される場合に、適切に節電依頼を需要家４に通知することができる。
【０１２１】
また、本実施形態における節電支援システム１は、電気事業者２が供給する電力を、予め契約した需要家４に供給するアグリゲータ３（電力管理事業者）が有するアグリゲータサーバ３００（電力管理装置）を備え、アグリゲータサーバ３００は、節電支援装置１００を備える。
これにより、例えば、マンションなどの集合住宅において、アグリゲータ３が、電気事業者２から電気を一括買い上げして、マンションの各住民（需要家４）に分配するようなシステムにおいても適用することができる。
【０１２２】
また、本実施形態では、店舗５は、電力消費量を利用人数に依存させずに利用可能な店舗（例えば、映画館、カラオケ店など）を含む。
これにより、需要家４が店舗５を利用しても、電力消費量が増加することがないので、本実施形態における節電支援システム１は、需要家４が店舗５を利用することで節電することができる。
【０１２３】
また、本実施形態によれば、節電支援装置１００は、電気事業者２から電力の供給を受ける需要家４に節電の協力を依頼する節電依頼を通知する装置であって、通知生成部１０１と、通知処理部１０２とを備えている。通知生成部１０１は、節電依頼を要求する節電依頼要求の入力に応じて、店舗５で使用可能なクーポンに関する情報と、節電依頼とを含む通知情報を生成する。通知処理部１０２は、通知生成部１０１が生成した通知情報を需要家４に通知する。
これにより、需要家４がクーポンを店舗５で使用するために外出することが需要家４の節電行動になるので、本実施形態における節電支援装置１００は、節電依頼に応じて、好適な節電を行うことができる。
【０１２４】
［第２の実施形態］
次に、本発明の第２の実施形態に係る節電支援システム及び節電支援装置について、図面を参照して説明する。
図１０は、第２の実施形態における節電支援システム１の一例を示すブロック図である。
この図において、図２に示す構成と同一の構成については同一の符号を付し、その説明を省略する。
本実施形態では、アグリゲータサーバ３００が、節電支援装置１００ａを備え、節電支援装置１００ａが、需要家選択部１０５を備える点が、図２に示す第１の実施形態と異なる。
【０１２５】
すなわち、アグリゲータサーバ３００は、通信部３１０、記憶部３２０、及び制御部３３０ａを備えている。ここで、通信部３１０、記憶部３２０、及び制御部３３０ａは、本実施形態における節電支援装置１００ａに対応する。
本実施形態では、複数の需要家４のうちから、節電依頼を通知する需要家４を適切に選択する場合の一例について説明する。
【０１２６】
需要家選択部１０５は、節電依頼によって節電の協力を依頼する時間帯に消費が推定される需要家４の消費電力量に応じて、複数の需要家４のうちから、通知情報を通知する需要家４を選択する。すなわち、需要家選択部１０５は、デマンドメータ４６０によって収集された各需要家４の過去の需要電力量に基づいて、各需要家４の節電の協力を依頼する時間帯（依頼期間）における消費電力量を推定する。需要家選択部１０５は、例えば、推定した消費電力量が所定の閾値以上である場合に、通知情報を通知する需要家４として選択する。
【０１２７】
図１１は、本実施形態における通知情報の生成処理及び通知処理の一例を示すフローチャートである。
この図において、通知生成部１０１は、ステップＳ５０１において、図７のステップＳ２０１の処理と同様の処理を実行する。通知生成部１０１は、節電依頼要求があった場合（ステップＳ５０１：ＹＥＳ）に、処理をステップＳ５０２に進め、通知情報の生成処理を開始する。通知生成部１０１は、節電依頼要求がない場合（ステップＳ５０１：ＮＯ）に、ステップＳ５０１の処理を繰り返し、節電依頼要求の入力を待つ。
【０１２８】
次に、ステップＳ５０２において、需要家選択部１０５は、需要家４の依頼期間における消費電力量を推定する。
次に、需要家選択部１０５は、消費電力量が閾値（所定の閾値）以上であるか否かを判定する（ステップＳ５０３）。需要家選択部１０５は、消費電力量が閾値以上である場合（ステップＳ５０３：ＹＥＳ）に処理をステップＳ５０４に進め、消費電力量が閾値未満である場合（ステップＳ５０３：ＮＯ）に処理をステップＳ５０７に進める。
【０１２９】
続く、ステップＳ５０４〜ステップＳ５０６の処理は、図７に示すステップＳ２０２〜ステップＳ２０４の処理と同様の処理を通知生成部１０１が実行する。
【０１３０】
また、ステップＳ５０７において、通知生成部１０１は、通知情報を生成する次の需要家４があるか否かを判定する。すなわち、通知生成部１０１は、需要家情報記憶部３２１に記憶されている需要家４の全員について、上述したステップＳ５０２及びステップＳ５０３の処理を実行したが否かを判定する。通知生成部１０１は、次の需要家４がある場合（ステップＳ５０７：ＹＥＳ）に、処理をステップＳ５０２に戻し、次の需要家４について同様の処理を実行させる。また、通知生成部１０１は、次の需要家４がない場合（ステップＳ５０７：ＮＯ）に、処理をステップＳ５０８に進める。
【０１３１】
ステップＳ５０８において、通知処理部１０２は、需要家選択部１０５によって選択された需要家４に通知情報を通知して、処理を終了する。
このように、本実施形態では、節電依頼の期間に、消費電量が多いと推定される需要家４に対して、節電依頼とクーポン情報とを含む通知情報を通知する。
【０１３２】
以上説明したいように、本実施形態における節電支援装置１００ａは、節電依頼によって節電の協力を依頼する時間帯に消費が推定される需要家４の消費電力量に応じて、複数の需要家４のうちから、通知情報を通知する需要家４を選択する需要家選択部１０５を備えている。通知処理部１０２は、需要家選択部１０５によって選択された需要家４に対して通知情報を通知する。
これにより、クーポンの使用による節電効果が高いと推定される需要家４に、通知情報を通知するので、本実施形態における節電支援システム１は、無作為に需要家４全員に通知情報を通知する場合に比べて、節電効果を高めることができる。
【０１３３】
なお、上述の一例では、需要家選択部１０５が、推定した消費電力量に基づいて需要家４を選択する場合について説明したが、以下のように需要家４を選択してもよい。
＜過去に協力した履歴に基づいて選択＞
需要家選択部１０５は、例えば、過去の節電依頼に対して、需要家４が節電に協力した回数又は電力量に応じて、複数の需要家４のうちから、通知情報を通知する需要家４を選択してもよい。例えば、需要家選択部１０５は、協力した回数が所定の閾値以上の需要家４、又は、これまでに協力した電力量（ネガワット）が所定の閾値以上の需要家４を選択する。
この場合、需要家選択部１０５は、節電に協力してもらえる可能性の高い需要家４を選択するので、本実施形態における節電支援システム１は、無作為に需要家４全員に通知情報を通知する場合に比べて、節電効果を高めることができる。
【０１３４】
＜需要家４の優先順位に基づいて選択＞
需要家４は、例えば、節電依頼を通知する優先順位を示す複数のレベルに予め分類されており、需要家選択部１０５は、予め定められた複数のレベルに基づいて、複数の需要家４のうちから、通知情報を通知する需要家４を選択する。ここで、複数のレベルは、節電依頼を通知する優先順位を示すレベルであり、例えば、上述した過去に協力した履歴（協力した回数又は電力量など）により分類されている。
この場合、需要家選択部１０５は、節電に協力してもらえる可能性の高い需要家４をレベルに基づいて選択するので、本実施形態における節電支援システム１は、無作為に需要家４全員に通知情報を通知する場合に比べて、節電効果を高めることができる。
なお、この場合、通知処理部１０２は、節電の状況に応じて、レベルの順に需要家選択部１０５によって選択された需要家４に対して、複数段階に分けて通知情報を通知してもよい。
【０１３５】
［第３の実施形態］
次に、本発明の第３の実施形態に係る節電支援システム及び節電支援装置について、図面を参照して説明する。
図１２は、第３の実施形態における節電支援システム１の一例を示すブロック図である。
この図において、図２に示す構成と同一の構成については同一の符号を付し、その説明を省略する。
本実施形態では、アグリゲータサーバ３００が、節電支援装置１００ｂを備え、節電支援装置１００ｂが、識別情報生成部１０６、需要家判定部１０７、履歴処理部１０８、広告料請求部１０９、及び履歴情報記憶部３２３を備える点が、図２に示す第１の実施形態と異なる。また、本実施形態では、店舗端末装置５００が、識別情報取得部５３３を備えている点が、図２に示す第１の実施形態と異なる。
【０１３６】
本実施形態では、節電支援システム１が、需要家４がクーポンを使用した履歴を取得して管理し、クーポンを使用した履歴に応じて、店舗５に対して広告料を請求する点が、第１の実施形態と異なる。なお、本実施形態では、通知情報に付加された需要家４を識別する識別情報によって、需要家４がクーポンを使用した履歴を取得する場合について説明する。
【０１３７】
本実施形態におけるアグリゲータサーバ３００は、通信部３１０、記憶部３２０ａ、及び制御部３３０ｂを備えている。なお、通信部３１０、記憶部３２０ａ、及び制御部３３０ｂは、本実施形態における節電支援装置１００ｂに対応する。
【０１３８】
記憶部３２０ａは、アグリゲータサーバ３００の各種処理に用いる情報を記憶する。記憶部３２０ａは、需要家情報記憶部３２１と、店舗情報記憶部３２２と、履歴情報記憶部３２３とを備えている。
履歴情報記憶部３２３は、需要家４がクーポンを使用したことを示す履歴情報を記憶する。履歴情報記憶部３２３は、図１３に示すように、「使用日時」と、「需要家ＩＤ」と、「店舗ＩＤ」とを関連付けて記憶している。
図１３は、本実施形態における履歴情報記憶部３２３のデータ構成の一例を示す構成図である。
ここで、「使用日時」は、クーポンがし世鬱された日時を示す情報であり、「需要家ＩＤ」は、需要家４を示す需要家情報（識別情報）であり、「店舗ＩＤ」は。店舗５を示す店舗情報（識別情報）である。
【０１３９】
制御部３３０ｂは、例えば、ＣＰＵなどを含むプロセッサであり、アグリゲータサーバ３００を統括的に制御する。また、制御部３３０ｂは、通知生成部１０１、通知処理部１０２、クーポン登録部１０３、節電ポイント付与部１０４、識別情報生成部１０６、需要家判定部１０７、履歴処理部１０８、及び広告料請求部１０９を備えている。
【０１４０】
識別情報生成部１０６、需要家４を識別する識別情報を生成する。この識別情報は、例えば、需要家４を一意に識別するユニークコードなどであり、識別情報生成部１０６は、識別情報を含むユニークコードやＱＲコード（登録商標）、バーコードなどの二次元コードを生成する。
なお、本実施形態における通知生成部１０１は、通知情報が通知された需要家４を識別する識別情報（例えば、ユニークコードや二次元コード）を含む通知情報を生成し、通知処理部１０２は、この識別情報を含む通知情報を需要家４に通知する。
【０１４１】
需要家判定部１０７（判定部）は、クーポンが使用された際に、店舗端末装置５００によって取得された上述した識別情報（例えば、ユニークコードや二次元コードに含まれる識別情報）を、店舗端末装置５００から受信し、受信した識別情報（店舗端末装置５００から送信された識別情報）に基づいて、クーポンを使用した需要家４を判定する。すなわち、需要家判定部１０７は、識別情報に基づいて、識別情報に対応する需要家４を判定する。
【０１４２】
履歴処理部１０８は、需要家判定部１０７がクーポンを使用したと判定した当該需要家４を示す需要家情報（例えば、「需要家ＩＤ」）と、当該クーポンが使用された当該店舗５を示す店舗情報（例えば、「店舗ＩＤ」）とを関連付けた情報を履歴情報として履歴情報記憶部３２３に記憶させる。具体的に、履歴処理部１０８は、図１３に示すように、「使用日時」と、「需要家ＩＤ」と、「店舗ＩＤ」とを関連付けて履歴情報として履歴情報記憶部３２３に記憶させる。
これにより、節電支援装置１００ｂは、節電依頼とともに需要家４に通知されたクーポンが、実際に使用された回数などの情報を管理することができる。
【０１４３】
広告料請求部１０９は、履歴情報記憶部３２３に記憶されている履歴情報に基づいて、店舗５に対する広告料を算出し、算出した広告料を店舗５に請求する。広告料請求部１０９は、例えば、履歴情報に基づいて、店舗５ごとのクーポンの使用回数を算出し、算出した使用回数に応じて、店舗５ごとの広告料を算出する。すなわち、広告料請求部１０９は、使用回数が多い程、通知情報による宣伝効果が高いと判定し、高い広告料を算出する。広告料請求部１０９は、算出した広告料を、通信部３１０及び通信ネットワーク６を介して店舗５に請求する。
【０１４４】
また、本実施形態における携帯端末４５０は、通知受信部４５１と、表示部４５２とを備えている。携帯端末４５０は、通知受信部４５１によって受信した通知情報としての電子メールを、表示部４５２に表示する。すなわち、携帯端末４５０は、クーポン情報とともに、識別情報を表示部４５２に表示する。
【０１４５】
本実施形態における店舗端末装置５００は、通信部５１０、記憶部５２０、制御部５３０ａ、及び表示部５４０を備えている。
制御部５３０ａは、例えば、通知受信部５３１と、登録制御部５３２と、識別情報取得部５３３とを備えている。
【０１４６】
識別情報取得部５３３は、携帯端末４５０の表示部４５２に表示された識別情報を取得する。識別情報取得部５３３は、例えば、二次元コードを読み取り、二次元コードに含まれる識別情報を取得する。
なお、本実施形態における通信部５１０（識別情報送信部）は、識別情報取得部５３３が取得した当該識別情報を節電支援装置１００ｂに送信する。
【０１４７】
図１４は、本実施形態における節電支援システム１の動作を説明するフローチャートである。
この図において、ステップＳ６０１〜ステップＳ６０４の処理は、図５に示すステップＳ１０１〜ステップＳ１０４の処理と同様であるので、ここでは説明を省略する。
【０１４８】
続く、アグリゲータサーバ３００は、電力会社サーバ２００からの節電依頼要求に応じて、通知情報を生成する（ステップＳ６０５）。具体的に、アグリゲータサーバ３００の通知生成部１０１は、識別情報生成部１０６が生成した需要家４の識別情報（例えば、ユニークコードや二次元コード）と、店舗５で使用可能なクーポンに関する情報と、節電依頼とを含む通知情報を生成する。
【０１４９】
次に、アグリゲータサーバ３００は、通知情報を需要家４に通知する（ステップＳ６０６）。すなわち、アグリゲータサーバ３００の通知処理部１０２は、通知生成部１０１が生成した電子メール（通知情報）を需要家４宛に送信する。
【０１５０】
次に、需要家端末装置４００は、アグリゲータサーバ３００が送信した通知情報を受信し、受信した通知情報を表示する（ステップＳ６０７）。すなわち、需要家端末装置４００は、通知受信部４３１が通信部４１０を介して電子メールを、通知情報として受信し、例えば、節電依頼、クーポン情報、及び識別情報を表示部４４０に表示させる。
【０１５１】
需要家４は、受信した通知情報を確認し、節電行動（例えば、需要家４に設備された負荷設備の消費電力量を低減（節電）する行動）を行うとともに、クーポンを利用する（ステップＳ６０８）。すなわち、需要家４は、店舗５に行き、クーポンを利用する。
この際、需要家４は、上述の通知情報（電子メール）を印刷して、クーポン情報及び識別情報を店舗５で提示してもよいし、携帯端末４５０に通知情報（電子メール）を表示させて店舗５で提示してもよい。
【０１５２】
次に、店舗端末装置５００は、クーポンを使用する際に、提示された識別情報（例えば、二次元コードなど）を取得する（ステップＳ６０９）。すなわち、店舗端末装置５００の識別情報取得部５３３は、携帯端末４５０の表示部４５２に表示された、例えば、二次元コードを読み取り、二次元コードに含まれる識別情報を取得する。
【０１５３】
次に、店舗端末装置５００は、取得した識別情報をアグリゲータサーバ３００に送信する（ステップＳ６１０）。すなわち、通信部５１０（識別情報送信部）は、識別情報取得部５３３が取得した当該識別情報をアグリゲータサーバ３００の節電支援装置１００ｂに送信する。
【０１５４】
また、需要家端末装置４００は、節電電力量をアグリゲータサーバ３００（節電支援装置１００ｂ）に通知し（ステップＳ６１１）、続く、ステップＳ６１２の処理は、図５に示すステップＳ１１０の処理と同様である。
【０１５５】
また、ステップＳ６１３において、アグリゲータサーバ３００は、需要家判定、及び履歴追加の処理を行う。すなわち、アグリゲータサーバ３００の需要家判定部１０７は、受信した識別情報（店舗端末装置５００から送信された識別情報）に基づいて、クーポンを使用した需要家４を判定する。そして、履歴処理部１０８は、需要家判定部１０７がクーポンを使用したと判定した当該需要家４を示す需要家情報（例えば、「需要家ＩＤ」）と、当該クーポンが使用された当該店舗５を示す店舗情報（例えば、「店舗ＩＤ」）とを関連付けた情報を履歴情報として履歴情報記憶部３２３に記憶させる。
【０１５６】
次に、アグリゲータサーバ３００は、広告料を店舗５に請求する（ステップＳ６１４）。すなわち、アグリゲータサーバ３００の広告料請求部１０９は、履歴情報記憶部３２３に記憶されている履歴情報に基づいて、店舗５に対する広告料を算出し、算出した広告料を店舗５に請求する。
【０１５７】
以上説明したように、本実施形態における節電支援システム１では、通知生成部１０１は、通知情報が通知された需要家４を識別する識別情報を含む通知情報を生成する。また、節電支援装置１００ｂは、店舗端末装置５００から送信された識別情報に基づいて、クーポンを使用した需要家４を判定する需要家判定部１０７（判定部）を備える。ここで、店舗端末装置５００は、店舗５に備えられる装置であって、識別情報を取得する識別情報取得部５３３と、取得した当該識別情報を節電支援装置１００ｂに送信する通信部５１０（識別情報送信部）とを有する。
これにより、節電依頼に付加したクーポンが実際に店舗５で使用したことを判定できるので、本実施形態における節電支援システム１は、節電依頼に応じた節電効果を明確にすることができる。
【０１５８】
また、本実施形態では、節電支援装置１００ｂは、履歴処理部１０８を備える。履歴処理部１０８は、需要家４がクーポンを使用したことを示す履歴情報を記憶する履歴情報記憶部３２３に、需要家判定部１０７がクーポンを使用したと判定した当該需要家４を示す需要家情報（「需要家ＩＤ」）と、当該クーポンが使用された当該店舗５を示す店舗情報（「店舗ＩＤ」）とを関連付けた情報を履歴情報として記憶させる。
これにより、履歴情報から、節電依頼に付加したクーポンが実際に店舗５で使用したことを判定できるので、本実施形態における節電支援システム１では、節電依頼に応じた節電効果を明確にすることができる。
【０１５９】
また、本実施形態では、節電支援装置１００ｂは、履歴情報記憶部３２３に記憶されている履歴情報に基づいて、店舗５に対する広告料を算出し、算出した広告料を店舗５に請求する広告料請求部１０９を備える。
これにより、本実施形態における節電支援システム１では、例えば、クーポンの使用に応じて、広告料を店舗５に請求することができる。
【０１６０】
［第４の実施形態］
次に、本発明の第４の実施形態に係る節電支援システム及び節電支援装置について、図面を参照して説明する。
本実施形態では、第３の実施形態とは別の方式により、需要家４がクーポンを使用した履歴を取得する場合について説明する。
【０１６１】
図１５は、第４の実施形態における節電支援システム１の一例を示すブロック図である。
この図において、図２及び図１２に示す構成と同一の構成については同一の符号を付し、その説明を省略する。
本実施形態では、アグリゲータサーバ３００が、節電支援装置１００ｃを備え、節電支援装置１００ｃが、需要家判定部１０７ａ、履歴処理部１０８、広告料請求部１０９、及び履歴情報記憶部３２３を備える点が、図２に示す第１の実施形態と異なる。また、本実施形態では、店舗端末装置５００が、使用情報生成部５３４を備えている点が、図２に示す第１の実施形態と異なる。
【０１６２】
本実施形態における店舗端末装置５００は、通信部５１０、記憶部５２０、制御部５３０ｂ、及び表示部５４０を備えている。
制御部５３０ｂは、例えば、通知受信部５３１と、登録制御部５３２と、使用情報生成部５３４とを備えている。
【０１６３】
使用情報生成部５３４は、店舗５においてクーポンが使用されたことを示すクーポン使用情報を生成し、生成したクーポン使用情報を表示部５４０に表示させる。ここで、クーポン使用情報は、例えば、店舗５を示す店舗情報とクーポンの内容などの情報とを含む情報であり、使用情報生成部５３４は、例えば、ＱＲコード（登録商標）などの二次元コードとして生成する。
【０１６４】
また、本実施形態における携帯端末４５０は、通知受信部４５１と、表示部４５２と、情報読取部４５３と、情報送信部４５４とを備えている。携帯端末４５０は、通知受信部４５１によって受信した通知情報としての電子メールを、表示部４５２に表示するとともに、店舗端末装置５００が表示するクーポン使用情報を読み取って、アグリゲータサーバ３００（節電支援装置１００ｃ）に送信する。
情報読取部４５３（読取部）は、店舗端末装置５００が表示するクーポン使用情報を読み取る読取部であり、例えば、撮像装置などである。
情報送信部４５４（使用情報送信部）は、情報読取部４５３によって読み取られた当該クーポン使用情報を節電支援装置１００ｃに送信する。すなわち、情報送信部４５４は、クーポン使用情報と、携帯端末４５０の所有者である需要家４の需要家情報とを含む情報を、通信ネットワーク６を介して節電支援装置１００ｃに送信する。なお、需要家情報は、情報送信部４５４が自動でクーポン使用情報に付加してもよいし、需要家４に入力するように指示してもよい。
【０１６５】
本実施形態におけるアグリゲータサーバ３００は、通信部３１０、記憶部３２０ａ、及び制御部３３０ｃを備えている。なお、通信部３１０、記憶部３２０ａ、及び制御部３３０ｃは、本実施形態における節電支援装置１００ｃに対応する。
【０１６６】
制御部３３０ｃは、例えば、ＣＰＵなどを含むプロセッサであり、アグリゲータサーバ３００を統括的に制御する。また、制御部３３０ｃは、通知生成部１０１、通知処理部１０２、クーポン登録部１０３、節電ポイント付与部１０４、需要家判定部１０７ａ、履歴処理部１０８、及び広告料請求部１０９を備えている。
【０１６７】
需要家判定部１０７ａ（判定部）は、携帯端末４５０により読み取られて送信されたクーポン使用情報に基づいて、クーポンを使用した需要家４及び店舗５を判定する。ここで、クーポン使用情報は、クーポンが使用された際に、店舗端末装置５００によって表示部５４０に表示される。すなわち、需要家判定部１０７ａは、店舗端末装置５００が表示したクーポン使用情報と、携帯端末４５０の所有者である需要家４を示す需要家情報とに基づいて、識別情報に対応する需要家４を判定する。
【０１６８】
図１６は、本実施形態における節電支援システム１の動作を説明するフローチャートである。
この図において、ステップＳ７０１〜ステップＳ７０７の処理は、図５に示すステップＳ１０１〜ステップＳ１０７の処理と同様であるので、ここでは説明を省略する。
【０１６９】
続く、ステップＳ７０８において、需要家４は、受信した通知情報を確認し、節電行動（例えば、需要家４に設備された負荷設備の消費電力量を低減（節電）する行動）を行うとともに、クーポンを利用する。すなわち、需要家４は、店舗５に行き、クーポンを利用する。
この際、需要家４は、上述の通知情報（電子メール）を印刷して、クーポン情報を店舗５で提示してもよいし、携帯端末４５０に通知情報（電子メール）を表示させて店舗５で提示してもよい。
【０１７０】
次に、店舗端末装置５００は、クーポン使用情報を生成し（ステップＳ７０９）、生成したクーポン使用情報を表示部５４０に表示する（ステップＳ７１０）。すなわち、店舗端末装置５００の使用情報生成部５３４は、店舗５においてクーポンが使用されたことを示すクーポン使用情報として、例えば、ＱＲコード（登録商標）などの二次元コードを生成し、生成したクーポン使用情報を表示部５４０に表示させる。
【０１７１】
次に、店舗５でクーポンを使用した需要家４は、携帯端末４５０によりクーポン使用情報を読み込む（ステップＳ７１１）。ここで、携帯端末４５０は、情報読取部４５３が、二次元コードである店舗端末装置５００が表示するクーポン使用情報を読み込む。
【０１７２】
次に、携帯端末４５０は、クーポン情報をアグリゲータサーバ３００（節電支援装置１００ｃ）に送信する（ステップＳ７１２）。すなわち、携帯端末４５０の情報送信部４５４は、クーポン使用情報と、携帯端末４５０の所有者である需要家４の需要家情報とを含む情報を、通信ネットワーク６を介して節電支援装置１００ｃに送信する。
【０１７３】
また、需要家端末装置４００は、節電電力量をアグリゲータサーバ３００（節電支援装置１００ｃ）に通知し（ステップＳ７１３）、続く、ステップＳ７１４の処理は、図５に示すステップＳ１１０の処理と同様である。
【０１７４】
また、ステップＳ７１５において、アグリゲータサーバ３００は、需要家判定、及び履歴追加の処理を行う。すなわち、アグリゲータサーバ３００の需要家判定部１０７ａは、受信したクーポン使用情報及び需要家情報に基づいて、クーポンを使用した需要家４及び店舗５を判定する。そして、履歴処理部１０８は、需要家判定部１０７ａがクーポンを使用したと判定した当該需要家４を示す需要家情報（例えば、「需要家ＩＤ」）と、当該クーポンが使用された当該店舗５を示す店舗情報（例えば、「店舗ＩＤ」）とを関連付けた情報を履歴情報として履歴情報記憶部３２３に記憶させる。
【０１７５】
次に、アグリゲータサーバ３００は、広告料を店舗５に請求する（ステップＳ７１６）。すなわち、アグリゲータサーバ３００の広告料請求部１０９は、履歴情報記憶部３２３に記憶されている履歴情報に基づいて、店舗５に対する広告料を算出し、算出した広告料を店舗５に請求する。
【０１７６】
以上説明したように、本実施形態における節電支援システム１では、節電支援装置１００ｃは、携帯端末４５０により読み取られて送信されたクーポン使用情報に基づいて、クーポンを使用した需要家４を判定する需要家判定部１０７ａを備える。ここで、節電支援装置１００ｃは、店舗５においてクーポンが使用されたことを示すクーポン使用情報を表示部５４０に表示する。携帯端末４５０は、店舗端末装置５００に表示されているクーポン使用情報を読み取る情報読取部４５３（読取部）と、情報読取部４５３によって読み取られた当該クーポン使用情報を節電支援装置１００ｃに送信する情報送信部４５４（使用情報送信部）とを有する。
これにより、節電依頼に付加したクーポンが実際に店舗５で使用したことを判定できるので、本実施形態における節電支援システム１は、節電依頼に応じた節電効果を明確にすることができる。
【０１７７】
なお、本実施形態における節電支援システム１では、店舗端末装置５００に表示する二次元コードは、クーポンの使用可能期間で１つのコードを表示してもよいし、二次元コードを１タイム化して、需要家４が携帯端末４５０で読み込むごとに変更してもよい。需要家４が携帯端末４５０で読み込むごとに変更した場合には、履歴処理部１０８は、同じ二次元コードは、２回目以降、履歴情報記憶部３２３に記憶させない処理をする。こうすることで、節電支援システム１では、例えば、実際にはクーポンを使用していない需要家４が同じ二次元コードを複数回、節電支援装置１００ｃに送信して、利用回数を増加させる不正行為を抑制することができる。
【０１７８】
［第５の実施形態］
次に、本発明の第５の実施形態に係る節電支援システム及び節電支援装置について、図面を参照して説明する。
【０１７９】
図１７は、第５の実施形態における節電支援システム１の一例を示すブロック図である。
この図において、図２及び図１２に示す構成と同一の構成については同一の符号を付し、その説明を省略する。
本実施形態では、第３の実施形態に、節電依頼にクーポン情報を添付する店舗を選択する店舗選択部１１０を追加した場合について説明する。
本実施形態では、アグリゲータサーバ３００が、節電支援装置１００ｄを備え、節電支援装置１００ｄが、店舗選択部１１０を備える点が、図１２に示す第３の実施形態と異なる。
【０１８０】
本実施形態におけるアグリゲータサーバ３００は、通信部３１０、記憶部３２０ａ、及び制御部３３０ｄを備えている。なお、通信部３１０、記憶部３２０ａ、及び制御部３３０ｄは、本実施形態における節電支援装置１００ｄに対応する。
【０１８１】
制御部３３０ｄは、例えば、ＣＰＵなどを含むプロセッサであり、アグリゲータサーバ３００を統括的に制御する。また、制御部３３０ｄは、通知生成部１０１、通知処理部１０２、クーポン登録部１０３、節電ポイント付与部１０４、識別情報生成部１０６、需要家判定部１０７、履歴処理部１０８、広告料請求部１０９、及び店舗選択部１１０を備えている。
【０１８２】
店舗選択部１１０は、履歴情報記憶部３２３に記憶されている履歴情報に基づいて、複数の店舗５のうちから、クーポンに関する情報を通知情報により通知する店舗５を選択する。具体的に、店舗選択部１１０は、例えば、履歴情報記憶部３２３に記憶されている履歴情報に基づいて、店舗５ごとのクーポンの利用回数（使用回数）を算出し、店舗５ごとの利用回数に応じて、複数の店舗５のうちから、クーポンに関する情報を通知情報により通知する店舗５を選択する。すなわち、店舗選択部１１０は、利用頻度の多い人気のある店舗５を優先的に選択する。
【０１８３】
なお、本実施形態における通知生成部１０１は、店舗選択部１１０によって選択された店舗５に対応するクーポンに関する情報を含めた通知情報を生成する。
本実施形態におけるその他の処理については、上述した第３の実施形態と同様であるので、ここではその説明を省略する。
【０１８４】
以上説明したように、本実施形態における節電支援システム１では、節電支援装置１００ｄは、履歴情報記憶部３２３に記憶されている履歴情報に基づいて、複数の店舗５のうちから、クーポンに関する情報を通知情報により通知する店舗５を選択する店舗選択部１１０を備える。通知生成部１０１は、店舗選択部１１０によって選択された店舗５に対応するクーポンに関する情報を含めた通知情報を生成する。
これにより、本実施形態における節電支援システム１では、過去の履歴情報に基づいて、クーポン情報を付加する適切な店舗５を選択することができる。よって、本実施形態における節電支援システム１は、全店舗５のクーポン情報を通知する場合、又は無作為に店舗５を選択する場合に比べて、節電効果を高めることができる。
【０１８５】
また、本実施形態では、店舗選択部１１０は、履歴情報に基づいて、需要家４に対して店舗５ごとの利用回数を算出し、店舗５ごとの利用回数に応じて、複数の店舗５のうちから、クーポンに関する情報を通知情報により通知する店舗５を選択する。
これにより、本実施形態における節電支援システム１は、利用頻度の多い人気のある店舗５を優先的に選択することができる。また、本実施形態における節電支援システム１は、需要家４の趣向を考慮した店舗５を適切に選択することができる。そのため、本実施形態における節電支援システム１は、全店舗５のクーポン情報を通知する場合、又は無作為に店舗５を選択する場合に比べて、節電効果を高めることができる。
【０１８６】
なお、店舗選択部１１０は、需要家４の属する構成員（需要家４の世帯の構成員）の年齢又は性別に基づいて、複数の店舗５のうちから、クーポンに関する情報を通知情報により通知する店舗５を選択してもよい。
これにより、本実施形態における節電支援システム１は、需要家４の属する構成員の年齢又は性別を考慮した適切な店舗５を選択することができる。
【０１８７】
また、店舗５は、例えば、クーポン情報を付加する優先順位を示す複数のレベルに予め分類されており、店舗選択部１１０は、予め定められた複数のレベルに基づいて、複数の店舗５のうちから、クーポンに関する情報を通知情報により通知する店舗５を選択してもよい。ここで、複数のレベルは、例えば、上述した過去の履歴情報（クーポンが使用された利用回数など）により分類されてもよい。また、複数のレベルは、例えば、各店舗５がアグリゲータ３に支払う広告料（契約料）によって、定められていてもよい。
【０１８８】
また、店舗選択部１１０は、需要家４によって予め登録された趣味や趣向を示すカテゴリ情報やお気に入り登録などの情報に基づいて、複数の店舗５のうちから、クーポンに関する情報を通知情報により通知する店舗５を選択してもよい。
【０１８９】
［第６の実施形態］
次に、本発明の第６の実施形態に係る節電支援システム及び節電支援装置について、図面を参照して説明する。
本実施形態では、通知情報に、クーポン情報の代わりにクーポン情報が閲覧可能な店舗５のＵＲＬを節電依頼とともに、需要家４に通知する場合の一例について説明する。
【０１９０】
図１８は、本発明の第６の実施形態に係る節電支援システム１ａの概要を説明する説明図である。
この図において、節電支援システム１ａは、電気事業者２（電力会社）と、アグリゲータ３（電力管理事業者）と、需要家４と、店舗５と、コンテンツ事業者７とを有している。
なお、この図において、図１に示す構成と同一の構成については同一の符号を付し、その説明を省略する。
【０１９１】
コンテンツ事業者７は、契約した店舗５の広告を閲覧可能なウェブサイトを運営する事業者である。コンテンツ事業者７は、クーポン情報を閲覧可能なウェブサイトをコンテンツとして提供する後述するウェブサーバ７００を有している。
【０１９２】
本実施形態における節電支援システム１ａでは、アグリゲータ３が、電気事業者２からの節電要請に応じて、需要家４に節電依頼とともに、店舗５で使用可能なお得なサービス情報（例えば、クーポン）を閲覧可能なＵＲＬを通知する。節電支援システム１ａは、需要家４が、店舗５に行ってクーポンを使用することで、節電を容易に達成しつつ、お得なサービスを得られるというものである。
【０１９３】
節電支援システム１ａの概要を説明すると、図１８に示すように、電気事業者２は、電気（電力）をアグリゲータ３に提供し（ステップＳ２１）、アグリゲータ３は、電気事業者２から供給された電気（電力）を各需要家４に分配する（ステップＳ２２）。
なお、店舗５は、クーポンに関する情報（例えば、クーポン情報を閲覧可能なＵＲＬ、クーポンの内容、適用条件など）を予めアグリゲータ３の節電支援装置１００に登録しておく（ステップＳ２３）。
【０１９４】
また、店舗５は、コンテンツ事業者７に広告料を支払う（ステップＳ２４）。これにより、店舗５は、店舗５のチラシ情報などの広告を閲覧可能なウェブサイトの提供されるサービスを受ける。
また、店舗５は、コンテンツ事業者７のウェブサーバ７００に、店舗５の広告情報とともに、クーポン情報を予め登録しておく（ステップＳ２５）。
【０１９５】
また、電気事業者２は、電力需給が逼迫した場合、又は電力需給が逼迫することが予想される場合に、節電要請（節電依頼要求）をアグリゲータ３に出力する（ステップＳ２６）。
【０１９６】
次に、アグリゲータ３は、電気事業者２からの節電要請に応じて、節電の協力を依頼する通知情報（節電依頼＋ＵＲＬ）を需要家４に通知する（ステップＳ２７）。
次に、需要家４は、節電依頼に付加されているＵＲＬにアクセスし、店舗５のウェブサイトからクーポン情報を閲覧する（ステップＳ２８）。これにより、需要家４は、店舗５で使用可能なクーポン情報を取得する。
【０１９７】
次に、需要家４は、取得したクーポン情報を利用する（クーポン利用）のために外出する（ステップＳ２９）ことにより、店舗５からお得な体験が得られる（ステップＳ３０）。とともに節電（ネガワットの創出）に協力する（ステップＳ３１）。
【０１９８】
また、節電（ネガワット）の対価として、需要家４に節電ポイントを付与する（ステップＳ３２）。
また、アグリゲータ３は、節電協力（ネガワットの提供）する（ステップＳ３３）ことの対価として、協力金を電気事業者２から得る（ステップＳ３４）。
【０１９９】
このように本実施形態における節電支援システム１ａは、アグリゲータ３（節電支援装置１００）が節電依頼にＵＲＬを付加した通知情報を需要家４に通知し、需要家４は、節電依頼に付加されているＵＲＬにアクセスして取得したクーポンを店舗５で利用することで、節電を実現する。
これにより、需要家４は、クーポンを店舗５で利用するために外出することにより節電を無理せずに行うことができ、クーポンによるお得な体験をすることができる。また、店舗５は、クーポンによる集客により、売上の増加が見込める。さらに、需要家４は、節電に協力することにより、アグリゲータ３から節電ポイントを得ることができる。
【０２００】
次に、この本実施形態における節電支援システム１ａの詳細について説明する。
まず、図１９を参照して、節電支援システム１ａの構成について説明する。
図１９は、本実施形態における節電支援システム１ａの一例を示すブロック図である。
【０２０１】
図１９において、節電支援システム１ａは、電気事業者２が有する電力会社サーバ２００と、アグリゲータ３が有するアグリゲータサーバ３００と、各需要家４が有する需要家端末装置４００、携帯端末４５０、及びデマンドメータ４６０と、店舗５が有する店舗端末装置５００と、コンテンツ事業者７が有するウェブサーバ７００とを備えている。なお、電力会社サーバ２００、アグリゲータサーバ３００、需要家端末装置４００、携帯端末４５０、店舗端末装置５００、及びウェブサーバ７００は、通信ネットワーク６を介して互いに接続されている。
なお、この図において、図２に示す構成と同一の構成については同一の符号を付し、その説明を省略する。
【０２０２】
本実施形態における節電支援システム１ａは、ウェブサーバ７００を備えている点と、節電支援装置１００が、通知生成部１０１の代わりに通知生成部１０１ａを備える点が、図２に示す第１の実施形態と異なる。
【０２０３】
ウェブサーバ７００（ウェブサーバ装置）は、クーポン情報を閲覧可能なウェブサイトをコンテンツとして提供するサーバ装置である。ウェブサーバ７００は、店舗端末装置５００が備える登録制御部５３２による登録要求により、店舗５の広告内容及びクーポン情報を登録、又は変更することができる。
【０２０４】
アグリゲータサーバ３００の制御部３３０は、例えば、ＣＰＵなどを含むプロセッサであり、アグリゲータサーバ３００を統括的に制御する。また、制御部３３０は、通知生成部１０１ａ、通知処理部１０２、クーポン登録部１０３、及び節電ポイント付与部１０４を備えている。
【０２０５】
通知生成部１０１ａ（生成部）は、節電依頼を要求する節電依頼要求の入力に応じて、店舗５で使用可能なクーポンに関する情報と、節電依頼とを含む通知情報を生成する。なお、本実施形態では、クーポンに関する情報には、店舗５に対応付けられた、クーポンの内容を示すクーポン情報を閲覧可能なネットワーク上の場所を示すアドレス情報（ＵＲＬ）が含まれる。通知生成部１０１ａは、このアドレス情報（ＵＲＬ）と節電依頼とを含む通知情報を生成する。
【０２０６】
次に、本実施形態における節電支援システム１ａの動作について説明する。
図２０は、本実施形態における節電支援システム１ａの動作を説明するフローチャートである。
この図において、まず、店舗５の店舗端末装置５００は、ＵＲＬ及びクーポン情報の登録要求をアグリゲータサーバ３００（節電支援装置１００）に送信する（ステップＳ８０１）。すなわち、店舗５は、店舗端末装置５００を使用して、アグリゲータサーバ３００に店舗情報と、ＵＲＬ及びクーポン情報とを予め登録する要求をする。
【０２０７】
次に、アグリゲータサーバ３００は、店舗端末装置５００から出力されたＵＲＬ及びクーポン情報の登録要求に基づいて、ＵＲＬ及びクーポン情報を登録する（ステップＳ８０２）。すなわち、アグリゲータサーバ３００のクーポン登録部１０３は、店舗５の店舗端末装置５００からの要求に応じて、店舗情報記憶部３２２に、「ＵＲＬ」と、「クーポン情報」と、「店舗情報」とを対応付けて記憶させる登録処理を実行する。このように、本実施形態では、ＵＲＬ及びクーポン情報は、予め定められている。
【０２０８】
また、店舗端末装置５００は、クーポン情報の登録要求をウェブサーバ７００に送信する（ステップＳ８０３）。
ウェブサーバ７００は、店舗端末装置５００からのクーポン情報の登録要求に応じて、クーポン情報の登録を行う（ステップＳ８０４）。
【０２０９】
一方で、電力会社サーバ２００は、節電依頼要求の送信判定を行い（ステップＳ８０５）、節電依頼要求が必要になった場合に、節電依頼要求をアグリゲータサーバ３００に送信する（ステップＳ８０６）。
【０２１０】
次に、アグリゲータサーバ３００は、電力会社サーバ２００からの節電依頼要求に応じて、通知情報を生成する（ステップＳ８０７）。具体的に、アグリゲータサーバ３００の通知生成部１０１ａは、店舗５で使用可能なクーポンに関する情報と、節電依頼とを含む通知情報を生成する。ここで、店舗５で使用可能なクーポンに関する情報は、クーポンの内容を示すクーポン情報を閲覧可能なＵＲＬであり、通知生成部１０１ａは、例えば、図２１に示すような、電子メールを、通知情報として生成する。
【０２１１】
次に、アグリゲータサーバ３００は、通知情報を需要家４に通知する（ステップＳ８０８）。すなわち、アグリゲータサーバ３００の通知処理部１０２は、通知生成部１０１ａが生成した電子メール（通知情報）を需要家４宛に送信する。
【０２１２】
次に、需要家端末装置４００は、アグリゲータサーバ３００が送信した通知情報を受信し、受信した通知情報を表示する（ステップＳ８０９）。すなわち、需要家端末装置４００は、通知受信部４３１が通信部４１０を介して電子メールを、通知情報として受信し、例えば、図２１に示すように、表示部４４０に表示させる。
ここで、本実施形態における通知情報の表示例について図２１を参照して説明する。
【０２１３】
図２１は、本実施形態における通知情報が表示された画面の一例を示す図である。
この図において、画面Ｇ２は、通知情報メッセージＭ２の表示画面を示し、通知情報メッセージＭ２は、節電依頼メッセージＤＲ２と、アドレス情報Ｌ１（ＵＲＬ）を示している。
この図に示すように、本実施形態における通知情報メッセージＭ２は、節電依頼メッセージＤＲ２にクーポン情報を閲覧可能なアドレス情報Ｌ１（ここでは、○○映画館のＵＲＬ）を添付された電子メールである。
【０２１４】
需要家４は、受信した通知情報を確認し、節電行動（例えば、需要家４に設備された負荷設備の消費電力量を低減（節電）する行動）を行うとともに、添付されたＵＲＬのウェブサーバ７００に接続し（ステップＳ８１０）、クーポン情報を取得する（ステップＳ８１１）。
【０２１５】
次に、需要家端末装置４００は、閲覧したクーポン情報を表示し（ステップＳ８１２）、需要家４は、クーポン情報の表示を確認し、クーポンを利用する（ステップＳ８１３）。すなわち、需要家４は、店舗５に行き、クーポンを利用する。
この際、需要家４は、上述の表示したクーポン情報を印刷して、クーポン情報を店舗５で提示してもよいし、携帯端末４５０に上述のクーポン情報を表示させて店舗５で提示してもよい。
【０２１６】
また、需要家端末装置４００は、節電電力量をアグリゲータサーバ３００（節電支援装置１００）に通知する（ステップＳ８１４）。すなわち、需要家端末装置４００は、デマンドメータ４６０が収集した需要家４の消費電力量をアグリゲータサーバ３００に通知し、アグリゲータサーバ３００は、節電ポイントを付与する（ステップＳ８１５）。
【０２１７】
次に、図２２を参照して、本実施形態における通知情報の生成処理及び通知処理を説明する。ここでは、節電依頼要求に地域が指定されていない場合の一例であり、アグリゲータ３が契約している需要家４全員に対して、通知情報を生成する場合について説明する。
図２２は、実施形態における通知情報の生成処理及び通知処理の一例を示すフローチャートである。
【０２１８】
この図において、ステップＳ２０１〜ステップＳ２０２、及びステップＳ２０５の処理は、図７に示すステップＳ２０１〜ステップＳ２０２、及びステップＳ２０５の処理と同様であるのでその説明を省略する。
ステップＳ２０３ａにおいて、通知生成部１０１ａは、ＵＲＬを取得する。すなわち、通知生成部１０１ａは、店舗情報記憶部３２２から店舗５に対応するＵＲＬを取得する。
【０２１９】
次に、通知生成部１０１ａは、通知情報を生成する（ステップＳ２０４ａ）。すなわち、通知生成部１０１ａは、節電依頼要求に基づいて節電依頼を生成し、生成した節電依頼に、取得した店舗５のＵＲＬを付加した電子メールを通知情報として生成する。
【０２２０】
次に本実施形態の変形例（第３変形例）として、店舗５が、アグリゲータ３から節電依頼を受信した後に、節電依頼の内容に基づいて、クーポン情報を設定する場合の一例について説明する。
＜第３変形例＞
図２３は、本実施形態の第３変形例における節電支援システム１ａの動作を説明するフローチャートである。
【０２２１】
この図において、まず、電力会社サーバ２００は、図２０のステップＳ８０５と同様に、節電依頼要求の送信判定を行い（ステップＳ９０１）、節電依頼要求が必要になった場合に、節電依頼要求をアグリゲータサーバ３００に送信する（ステップＳ９０２）。
【０２２２】
次に、アグリゲータサーバ３００は、節電依頼を店舗５に通知する（ステップＳ９０３）。すなわち、アグリゲータサーバ３００の通知処理部１０２は、節電依頼要求に応じて、節電依頼を通知することを店舗５に通知する。
【０２２３】
次に、店舗端末装置５００は、クーポン情報の登録要求をウェブサーバ７００に送信する（ステップＳ９０４）。店舗端末装置５００は、通知受信部５３１が、アグリゲータサーバ３００からの節電依頼を受信し、表示部３４０に表示させる。店舗５の従業員は、節電依頼の内容を確認し、クーポンの内容であるクーポン情報を決定し、店舗端末装置５００の登録制御部５３２は、ウェブサーバ７００にクーポン情報の登録要求を送信する。すなわち、店舗５の従業員は、節電依頼の期間や店舗５の状況、集客状態などを考慮して、クーポン情報を設定する。
ウェブサーバ７００は、店舗端末装置５００からのクーポン情報の登録要求に応じて、クーポン情報の登録を行う（ステップＳ９０５）。
【０２２４】
また、店舗５の店舗端末装置５００は、ＵＲＬ及びクーポン情報の登録要求をアグリゲータサーバ３００（節電支援装置１００）に送信する（ステップＳ９０６）。すなわち、店舗５は、店舗端末装置５００を使用して、アグリゲータサーバ３００に店舗情報と、ＵＲＬ及びクーポン情報とを登録する要求をする。
【０２２５】
次に、アグリゲータサーバ３００は、店舗端末装置５００から出力されたＵＲＬ及びクーポン情報の登録要求に基づいて、ＵＲＬ及びクーポン情報を登録する（ステップＳ９０７）。
続く、ステップＳ９０８〜ステップＳ９１６の処理は、図２０に示すステップＳ８０７〜ステップＳ８１５の処理と同様であるので、ここではその説明を省略する。
【０２２６】
このように、第３変形例では、アグリゲータサーバ３００の通知処理部１０２は、節電依頼要求に基づいて、店舗５に節電依頼を通知し、クーポン情報は、店舗５に通知された節電依頼に応じて設定される。
これにより、節電支援システム１ａは、節電依頼に応じた適切なクーポン情報が設定されるので、需要家４が店舗５に行く節電行動を起こし易くすることができる。そのため、節電支援システム１ａは、クーポン情報が予め定められている場合に比べて、需要家４を店舗５のクーポンを利用し易くすることができる。
【０２２７】
以上説明したように、本実施形態において、クーポンに関する情報には、店舗５に対応付けられた、クーポンの内容を示すクーポン情報を閲覧可能なネットワーク上の場所を示すアドレス情報（ＵＲＬ）が含まれる。通知生成部１０１ａは、このアドレス情報と節電依頼とを含む通知情報を生成する。また、節電支援システム１ａは、クーポン情報を閲覧可能なウェブサイトをコンテンツとして提供するウェブサーバ７００（ウェブサーバ装置）を備える。
これにより、需要家４は、ウェブサーバ７００を利用してクーポン情報を取得するので、節電支援システム１ａは、通知情報にクーポン情報を付加する第１の実施形態と比べて、通知情報を簡略化することができるとともに、ウェブサーバ７００で詳細なクーポン情報を需要家４に提供することができる。
【０２２８】
また、需要家４がクーポンを店舗５で使用するために外出することが需要家４の節電行動になるので、本実施形態における節電支援システム１ａは、第１の実施形態と同様に、節電依頼に応じて、好適な節電を行うことができる。
【０２２９】
なお、本実施形態では、店舗５は、節電依頼のタイミングとは関係なく、タイムセールスや安売り情報などを、ウェブサーバ７００に登録してもよい。この場合は、アグリゲータサーバ３００には、クーポン情報を登録せずに、「ＵＲＬ」のみ登録してもよい。
これにより、節電支援システム１ａは、クーポン情報を状況に応じて柔軟に変更することができる。
【０２３０】
［第７の実施形態］
次に、本発明の第７の実施形態に係る節電支援システム及び節電支援装置について、図面を参照して説明する。
本実施形態では、第６の実施形態にクーポンを使用する店舗５の予約処理を追加した場合の一例について説明する。
【０２３１】
図２４は、本実施形態における節電支援システム１ａの一例を示すブロック図である。
図２４において、節電支援システム１ａは、電気事業者２が有する電力会社サーバ２００と、アグリゲータ３が有するアグリゲータサーバ３００と、各需要家４が有する需要家端末装置４００、携帯端末４５０、及びデマンドメータ４６０と、店舗５が有する店舗端末装置５００と、コンテンツ事業者７が有するウェブサーバ７００とを備えている。なお、電力会社サーバ２００、アグリゲータサーバ３００、需要家端末装置４００、携帯端末４５０、店舗端末装置５００、及びウェブサーバ７００は、通信ネットワーク６を介して互いに接続されている。
なお、この図において、図１９に示す構成と同一の構成については同一の符号を付し、その説明を省略する。
【０２３２】
本実施形態における節電支援システム１ａは、ウェブサーバ７００が、予約確認処理部７０１と、予約受付部７０２とを備える点が、図１９に示す第６の実施形態と異なる。
【０２３３】
本実実施形態において、ウェブサーバ７００は、予約確認処理部７０１と、予約受付部７０２とを備えている。
予約確認処理部７０１は、入力された予約確認要求に応じて、店舗５の予約状態（予約状況）を出力する。予約確認処理部７０１は、例えば、ウェブサーバ７００に入力された予約の確認を要求する予約確認要求に応じて、ウェブサーバ７００又は店舗端末装置５００が備える予約記憶部（不図示）に記憶されている店舗５の予約情報を読み出して出力する。ここで、予約記憶部は、店舗ごとの予約情報を店舗５の予約状態として記憶している。
予約確認処理部７０１は、例えば、需要家端末装置４００又はアグリゲータサーバ３００からの予約確認要求に応じて、店舗５の予約状態を予約確認要求送信した装置に出力する。
【０２３４】
予約受付部７０２は、クーポンに関する情報に基づいて、クーポンを使用する店舗５の予約を受け付ける。クーポンに関する情報には、店舗５のクーポン情報や店舗５の情報を閲覧可能なウェブサイトのＵＲＬが含まれる。予約受付部７０２は、例えば、通知情報に含まれるＵＲＬにより、需要家端末装置４００からウェブサーバ７００に接続することにより、クーポンを使用する店舗５の予約を受け付ける。予約受付部７０２は、受け付けた予約情報を上述した予約記憶部に記憶させる。
【０２３５】
次に、本実施形態における節電支援システム１ａの動作について説明する。
図２５は、本実施形態における節電支援システム１ａの動作を説明するフローチャートである。
この図において、ステップＳ１００１〜ステップＳ１００９の処理は、図２０に示すステップＳ８０１〜ステップＳ８０９の処理と同様であるので、ここでは説明を省略する。
【０２３６】
続く、需要家４は、受信した通知情報を確認し、節電行動（例えば、需要家４に設備された負荷設備の消費電力量を低減（節電）する行動）を行うとともに、添付されたＵＲＬのウェブサーバ７００に接続し、店舗５の予約確認要求を出力する（ステップＳ１０１０）すなわち、需要家端末装置４００は、添付されたＵＲＬのウェブサーバ７００に接続するとともに、店舗５の予約確認要求を出力する。
【０２３７】
次に、ウェブサーバ７００は、需要家端末装置４００に予約状態を出力する（ステップＳ１０１１）。すなわち、ウェブサーバ７００の予約確認処理部７０１は、需要家端末装置４００から入力された予約確認要求に応じて、店舗５の予約状態を出力する。
【０２３８】
需要家端末装置４００は、ウェブサーバ７００から出力された店舗５の予約状態を表示部４４０に表示する（ステップＳ１０１２）。
次に、需要家４は、予約状態を確認した上で、需要家端末装置４００から予約依頼を実行する（ステップＳ１０１３）。すなわち、需要家端末装置４００は、ウェブサーバ７００に予約依頼を出力する。
【０２３９】
次に、ウェブサーバ７００は、予約を受け付け（ステップＳ１０１４）、クーポン情報を出力する。すなわち、ウェブサーバ７００の予約受付部７０２は、需要家端末装置４００からの予約を受け付け、予約記憶部に記憶させるとともに、対応する店舗５のクーポン情報を出力する。これにより、需要家端末装置４００は、クーポン情報を取得する（ステップＳ１０１５）。
【０２４０】
続く、ステップＳ１０１６〜ステップＳ１０１９の処理は、図２０に示すステップＳ８１２〜ステップＳ８１５の処理と同様であるので、ここでは説明を省略する。
【０２４１】
以上説明したように、本実施形態による節電支援システム１ａは、クーポンに関する情報に基づいて、クーポンを使用する店舗５の予約を受け付ける予約受付部７０２と、入力された予約確認要求に応じて、店舗５の予約状態を出力する予約確認処理部７０１とを備えている。
これにより、本実施形態による節電支援システム１ａは、需要家４が店舗５に予約をした上で、クーポンを利用するので、需要家４が店舗５を利用する確度を高めることができる。また、需要家４は、予約状態を確認した上で、クーポンを利用する店舗５を選択することも可能であり、本実施形態による節電支援システム１ａは、クーポンを利用する際の利便性を向上させることができる。
【０２４２】
なお、本実施形態では、アグリゲータサーバ３００は、店舗５の予約状態に基づいて、クーポン情報を設定することが可能である。例えば、通知生成部１０１ａは、予約確認処理部７０１から出力された予約状態に応じて、クーポンに関する情報を通知情報により通知する店舗５を変更してもよい。この場合、通知生成部１０１ａは、通信ネットワーク６を介して、ウェブサーバ７００に予約確認要求を出力し、予約確認処理部７０１から、例えば、店舗５の予約状態を取得する。通知生成部１０１ａは、店舗５の予約状態に空きがない場合（例えば、映画館などの満席状態である場合）に、他の店舗５のクーポンに関する情報を取得して、取得したクーポンに関する情報を含む通知情報を生成する。
これにより、本実施形態による節電支援システム１ａは、予約状態を確認した上で、クーポンを発行できるので、例えば、予約の空きがなく節電効果の期待できない店舗５をクーポンの発行対象から予め外すことができる。よって、本実施形態による節電支援システム１ａは、全店舗５のクーポン情報を通知する場合、又は無作為に店舗５を選択する場合に比べて、節電効果を高めることができる。
【０２４３】
なお、本実施形態では、ウェブサーバ７００が予約確認処理部７０１及び予約受付部７０２を備える場合の一例を説明したが、アグリゲータサーバ３００（節電支援装置１００）、又は店舗端末装置５００が予約確認処理部７０１及び予約受付部７０２を備える形態であってもよい。
また、上記の実施形態では、店舗５の予約に用いるクーポンに関する情報が、ＵＲＬである場合について説明したが、これに限定されるものではない。例えば、店舗５の予約に用いるクーポンに関する情報は、予約用の電子メールアドレス、予約用の電話番号などであってもよい。すなわち、クーポンに関する情報には、予約用の電子メールアドレス、予約用の電話番号などの予約に関する情報が含まれてもよい。
【０２４４】
［第８の実施形態］
次に、本発明の第８の実施形態に係る節電支援システム及び節電支援装置について、図面を参照して説明する。
本実施形態では、電気事業者２が有する電力会社サーバ２００が、節電支援装置１００を備える場合の一例について説明する。
【０２４５】
図２６は、本発明の第８の実施形態に係る節電支援システム１ｂの概要を説明する説明図である。
この図において、節電支援システム１ｂは、電気事業者２（電力会社）と、需要家４と、店舗５とを有している。
なお、この図において、図１に示す構成と同一の構成については同一の符号を付し、その説明を省略する。
本実施形態では、電気事業者２が、アグリゲータ３を介さずに需要家４に直接電力を供給する場合の一例である。
【０２４６】
本実施形態における節電支援システム１ｂでは、電気事業者２が、自身で生成した節電要請に応じて、需要家４に節電依頼とともに、店舗５で使用可能なお得なサービス情報（例えば、クーポン）を通知する。節電支援システム１ｂは、需要家４が、店舗５に行ってクーポンを使用することで、節電を容易に達成しつつ、お得なサービスを得られるというものである。
【０２４７】
節電支援システム１ｂの概要を説明すると、図２６に示すように、電気事業者２は、電気（電力）を各需要家４に供給する（ステップＳ４１）。
なお、店舗５は、クーポンに関する情報（例えば、クーポンの内容、適用条件など）を予め電気事業者２の節電支援装置１００に登録しておく（ステップＳ４２）。
【０２４８】
また、電気事業者２は、電力需給が逼迫した場合、又は電力需給が逼迫することが予想される場合に、節電要請（節電依頼要求）を節電支援装置１００に出力し、節電支援装置１００は、節電要請に応じて、節電の協力を依頼する通知情報（節電依頼＋クーポン情報）を需要家４に通知する（ステップＳ４３）。
【０２４９】
次に、需要家４は、節電依頼に付加されているクーポン情報を利用する（クーポン利用）のために外出する（ステップＳ４４）ことにより、店舗５からお得な体験が得られる（ステップＳ４５）。とともに節電（ネガワットの創出）に協力する（ステップＳ４６）。
【０２５０】
また、節電（ネガワット）の対価として、需要家４に節電ポイントを付与する（ステップＳ４７）。
なお、本実施形態における節電支援システム１ｂの構成は、電力会社サーバ２００がアグリゲータサーバ３００の代わりに、節電支援装置１００を備える点を除いて、第１の実施形態と同様であるので、ここでは説明を省略する。
【０２５１】
以上説明したように、本実施形態における節電支援システム１ｂは、電気事業者２（節電支援装置１００）が節電依頼にクーポン情報を付加した通知情報を需要家４に通知し、需要家４は、節電依頼に付加されているクーポンを店舗５で利用することで、節電を実現する。
これにより、需要家４は、クーポンを店舗５で利用するために外出することにより節電を無理せずに行うことができ、クーポンによるお得な体験をすることができる。また、店舗５は、クーポンによる集客により、売上の増加が見込める。さらに、需要家４は、節電に協力することにより、電気事業者２から節電ポイントを得ることができる。よって、本実施形態における節電支援システム１ｂは、第１の実施形態と同様に、節電依頼に応じて、好適な節電を行うことができる。
【０２５２】
このように、本実施形態における節電支援システム１ｂは、アグリゲータサーバ３００を供えずに、電力会社サーバ２００（電気事業者管理装置）は、節電支援装置１００を備える場合においても適用することができる。
【０２５３】
なお、本発明は、上記の各実施形態に限定されるものではなく、本発明の趣旨を逸脱しない範囲で変更可能である。
上記の各実施形態は、単独で実施される場合について説明したが、上記の各実施形態を組み合わせて実施されてもよい。
例えば、第２〜第５の実施形態を第６の実施形態又は第６の実施形態に適用してもよいし、第６の実施形態に第１変形例を適用してもよい。また、第１の実施形態と、第６の実施形態とが、組み合わせて実施されてもよい。
【０２５４】
また、上記の各実施形態では、クーポンによる負担分を店舗５が負担する場合について説明したが、アグリゲータ３又は電気事業者２が負担する形態であってもよい。
また、クーポンによって提供されるサービスには、上記のサービスに限定されるものではない。例えば、クーポンによって提供されるサービスには、アグリゲータ３又は電気事業者２が付与する節電ポイントの付与を含めてもよい。また、例えば、クーポンにより提供されるサービスには、図４に示すように、店舗５における取引に応じて金券（例えば、商品券、食事券など）を付与するサービスを含めてもよい。また、例えば、クーポンにより提供されるサービスには、クーポンにより提供されるサービスには、店舗５における取引に応じて所定の金額を事後にキャッシュバックするサービスを含めてもよい。
また、上記の第３〜第５の実施形態において、アグリゲータ３が店舗５に広告料を請求する形態について説明したが、アグリゲータ３又は電気事業者２が、履歴情報に基づいて。店舗５に協力金を支払う形態であってもよい。
【０２５５】
また、上記の第３の実施形態において、識別情報をユニークコードや二次元コードで通知情報に含めて提供する場合について説明したが、識別情報は、数字などのコードであってもよいし、他のコードであってもよい。
また、上記の各実施形態において、携帯端末４５０を用いて店舗５でクーポンを利用する形態を説明したが、これに限定されるものではなく、クーポン情報を紙に印刷して利用してもよい。
【０２５６】
また、上記の第６の実施形態において、ＵＲＬは複数の店舗５の広告情報が閲覧可能なウェブサイトのＵＲＬであってもよい。この場合、需要家４は、複数の店舗５の情報の中から、自身の地域に対応した店舗５や、自分の趣向にあった店舗５を選んでクーポン情報を取得してもよい。
また、上記の第６の実施形態において、コンテンツ事業者７がウェブサーバ７００を有する場合について説明したが、これに限定されるものではない。例えば、店舗５が、クーポン情報を閲覧可能なウェブサーバ装置を有してもよいし、アグリゲータ３又は電気事業者２がクーポン情報を閲覧可能なウェブサーバ装置を有してもよい。
また、ウェブサーバ７００は、クーポン情報の他に、店舗５の混み具合や予約状況などが閲覧可能であってもよい。この場合、需要家４は、店舗５の混み具合や予約状況を考慮して、クーポンを利用する店舗５を選択することができる。
【０２５７】
また、上記の各実施形態において、通知情報は、電子メールにより需要家４に通知される場合について説明したが、これに限定されるものではない。例えば、通知情報は、テレビのデジタル情報配信や、放送などの音声により需要家４に通知されてもよい。
【０２５８】
また、上記の第４の実施形態において、店舗端末装置５００がクーポン使用情報を表示部５４０に表示する場合について、説明したが、紙などにクーポン使用情報を印刷して、需要家４の携帯端末４５０に読み込ませてもよい。
また、上記の第８の実施形態では、一例として、第１の実施形態においてアグリゲータ３を備えない場合を説明したが、他の実施形態において同様に適用してもよい。
【０２５９】
また、上記の各実施形態では、需要家４が、通知情報のクーポンを利用することを、アグリゲータ３又は店舗５に応答し、クーポンの利用を予約してもよい。
また、例えば、アグリゲータサーバ３００（節電支援装置１００、１００ａ〜１００ｄ）又は店舗端末装置５００は、このクーポンの利用の予約に基づいて、利用する需要家４の利用人数を推定し、さらに、推定した利用人数に基づいて、店舗５の混み具合を推定し、需要家４に通知してもよい。これにより、需要家４は、店舗５の混み具合を考慮して、クーポンの利用を選択することができる。
【０２６０】
また、上記の各実施形態において、店舗情報記憶部３２２は、クーポン情報記憶部を兼ねる場合について説明したが、別々の記憶部として構成してもよい。また、需要家情報記憶部３２１、店舗情報記憶部３２２、及び履歴情報記憶部３２３の各記憶部は、節電支援装置１００（１００ａ〜１００ｄ）が備える場合について説明したが、これに限定されるものではない。需要家情報記憶部３２１、店舗情報記憶部３２２、及び履歴情報記憶部３２３の各記憶部は、通信ネットワーク６上の他のサーバ装置が備える形態であってもよい。
【０２６１】
なお、本発明における節電支援システム１（１ａ、１ｂ）が備える各構成の機能を実現するためのプログラムをコンピュータ読み取り可能な記録媒体に記録して、この記録媒体に記録されたプログラムをコンピュータシステムに読み込ませ、実行することにより上述した節電支援システム１（１ａ、１ｂ）が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０２６２】
また、記録媒体には、当該プログラムを配信するために配信サーバからアクセス可能な内部または外部に設けられた記録媒体も含まれる。なお、プログラムを複数に分割し、それぞれ異なるタイミングでダウンロードした後に節電支援システム１（１ａ、１ｂ）が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【０２６３】
また、上述した機能の一部または全部を、ＬＳＩ（Large Scale Integration）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０２６４】
１、１ａ、１ｂ  節電支援システム
２  電気事業者（電力会社）
３  アグリゲータ
４  需要家
５  店舗
６  通信ネットワーク
７  コンテンツ事業者
１００、１００ａ、１００ｂ、１００ｃ、１００ｄ  節電支援装置
１０１、１０１ａ  通知生成部
１０２  通知処理部
１０３  クーポン登録部
１０４  節電ポイント付与部
１０５  需要家選択部
１０６  識別情報生成部
１０７、１０７ａ  需要家判定部
１０８  履歴処理部
１０９  広告料請求部
１１０  店舗選択部
２００  電力会社サーバ
２１０、３１０、４１０、５１０  通信部
２２０、３２０、３２０ａ、４２０、５２０  記憶部
２３０、３３０、３３０ａ、３３０ｂ、３３０ｃ、３３０ｄ、４３０、５３０、５３０ａ  制御部
２３１  電力推定部
２３２  節電要請出力部
３００  アグリゲータサーバ
３２１  需要家情報記憶部
３２２  店舗情報記憶部
３２３  履歴情報記憶部
４００  需要家端末装置
４３１  通知受信部
４３２  節電制御部
４４０、４５２、５４０  表示部
４５０  携帯端末
４５１  通知受信部
４５３  情報読取部
４５４  情報送信部
４６０  デマンドメータ
５００  店舗端末装置
５３１  通知受信部
５３２  登録制御部
５３３  識別情報取得部
５３４  使用情報生成部
７００  ウェブサーバ
７０１  予約確認処理部
７０２  予約受付部
【図１】
2014229000.tif 000003
【図２】
2014229000.tif 000004
【図３】
2014229000.tif 000005
【図４】
2014229000.tif 000006
【図５】
2014229000.tif 000007
【図６】
2014229000.tif 000008
【図７】
2014229000.tif 000009
【図８】
2014229000.tif 000010
【図９】
2014229000.tif 000011
【図１０】
2014229000.tif 000012
【図１１】
2014229000.tif 000013
【図１２】
2014229000.tif 000014
【図１３】
2014229000.tif 000015
【図１４】
2014229000.tif 000016
【図１５】
2014229000.tif 000017
【図１６】
2014229000.tif 000018
【図１７】
2014229000.tif 000019
【図１８】
2014229000.tif 000020
【図１９】
2014229000.tif 000021
【図２０】
2014229000.tif 000022
【図２１】
2014229000.tif 000023
【図２２】
2014229000.tif 000024
【図２３】
2014229000.tif 000025
【図２４】
2014229000.tif 000026
【図２５】
2014229000.tif 000027
【図２６】
2014229000.tif 000028